【手続補正書】
【提出日】平成27年6月22日(2015.6.22)
【手続補正１】
【補正対象書類名】特許請求の範囲
【補正対象項目名】全文
【補正方法】変更
【補正の内容】
【特許請求の範囲】
【請求項１】
発電用の発電コンポーネントを備える海波発電デバイスであって、
前記海波発電デバイスは、海波中で浮くためのブイを更に備え、
前記ブイに前記発電コンポーネントが設けられ、前記発電コンポーネントの一端に第１のフレア状開口部が設けられ、前記発電コンポーネントの他端に第２のフレア状開口部が設けられ、
前記第１のフレア状開口部の開口は海底に向き、前記第２のフレア状開口部の開口は空に向き、
前記第１のフレア状開口部は第１のフレア状開口本体を備え、前記第１のフレア状開口本体の、前記発電コンポーネントに近い一端に第１の内側開口が設けられ、前記第１のフレア状開口本体の、前記発電機コンポーネントから離れた他端に第１の外側開口が設けられ、
前記第２のフレア状開口部は第２のフレア状開口本体を備え、前記第２のフレア状開口本体の、前記発電コンポーネントに近い一端に第２の内側開口が設けられ、前記第２のフレア状開口本体の、前記発電コンポーネントから離れた他端に第２の外側開口が設けられ、
前記第１の内側開口と前記第２の内側開口との距離は、前記第１の内側開口の口径よりも小さく、及び／又は、
打ち寄せてくる海波に向く方向における前記第１のフレア状開口部の壁の幅は、離れていく海波に向く方向における前記第１のフレア状開口部の壁の幅よりも短いことを特徴とする海波発電デバイス。
【請求項２】
打ち寄せてくる海波に向く方向における前記第１のフレア状開口部の壁の幅は、海波の移動方向に対して垂直な方向における前記第１のフレア状開口部の壁の幅よりも短いことを特徴とする請求項１に記載の海波発電デバイス。
【請求項３】
前記ブイは、前記第１のフレア状開口部と前記第２のフレア状開口部との間に配置されることを特徴とする請求項１に記載の海波発電デバイス。
【請求項４】
前記第１の内側開口と前記第２の内側開口との軸における、海波の移動方向に沿い且つ海表面に対して垂直な前記ブイの横断面の幅は、前記第１の内側開口と前記第２の内側開口との軸における、海波の移動方向に対して垂直な前記ブイの横断面の幅よりも短いことを特徴とする請求項１に記載の海波発電デバイス。
【請求項５】
前記ブイは、第１のブイと第２のブイとを備え、前記発電コンポーネントは、前記第１のブイと前記第２のブイとの間に配置されることを特徴とする請求項１に記載の海波発電デバイス。
【請求項６】
前記第１の内側開口と前記第２の内側開口との軸における、海波の移動方向に沿い且つ海表面に対して垂直な前記第１のブイの横断面の幅は、前記第１の内側開口と前記第２の内側開口との軸における、海波の移動方向に対して垂直な前記第１のブイの横断面の幅よりも短く、及び／又は、
前記第１の内側開口と前記第２の内側開口との軸における、海波の移動方向に沿い且つ海表面に対して垂直な前記第２のブイの横断面の幅は、第１の内側開口と前記第２の内側開口との軸における、海波の移動方向に対して垂直な前記第２のブイの横断面の幅よりも短いことを特徴とする請求項５に記載の海波発電デバイス。
【請求項７】
前記第１のフレア状開口部の口径は、前記第１の外側開口から前記第１の内側開口に向かって漸進的に縮小し、及び／又は、
前記第２のフレア状開口部の口径は、前記第２の外側開口から前記第２の内側開口に向かって漸進的に縮小することを特徴とする請求項１に記載の海波発電デバイス。
【請求項８】
前記第１の内側開口は円形状であり、及び／又は、
前記第２の内側開口は円形状であることを特徴とする請求項１に記載の海波発電デバイス。
【請求項９】
前記第１の外側開口の端表面は、湾曲表面であり、及び／又は、
前記第２の外側開口の端表面は、湾曲表面であることを特徴とする請求項１に記載の海波発電デバイス。
【請求項１０】
前記ブイ、前記第１のフレア状開口部、及び前記第２のフレア状開口部は、一体構造であることを特徴とする請求項１に記載の海波発電デバイス。
【請求項１１】
前記発電コンポーネントは、パイプ、羽根車、羽根車固定手段、伝達手段及び発電機を備え、
前記パイプの一端は、前記第１の内側開口に接続され、前記パイプの他端は、前記第２の内側開口に接続され、前記羽根車は、前記羽根車固定手段を介して前記パイプ内に固定され、前記羽根車は、前記伝達手段を通じて前記発電機に接続されていることを特徴とする請求項１乃至１０のいずれか一項に記載の海波発電デバイス。
【請求項１２】
前記伝達手段は、前記羽根車の円周方向ディスクへ接続され、前記羽根車と前記ディスクの回転運動を前記発電機に伝達して、前記発電機が動作するように駆動することを特徴とする請求項１１に記載の海波発電デバイス。
【請求項１３】
前記海波発電デバイスはさらに、少なくとも一つの水中翼を備え、前記水中翼は、前記第１のフレア状開口部のフレア状開口壁の外側に、及び／又は前記第２のフレア状開口部のフレア状開口壁の外側に、及び／又は前記発電コンポーネントの外側に、及び／又は前記第１のブイの外側に配置され、前記水中翼は、海水と接触していることを特徴とする請求項１乃至１０のいずれか一項に記載の海波発電デバイス。
【請求項１４】
請求項１乃至１３のいずれか一項に記載の前記海波発電デバイスを用いて発電する方法であって、
前記第１のフレア状開口部の開口は海底に向き、前記第２のフレア状開口部の開口は空に向くように、前記海波発電デバイスを海中に取り付けるステップと、
海波のクレストが打ち寄せるとき、海波中の水の質点が、前記第１のフレア状開口部から流入して前記発電コンポーネントを駆動して発電し、前記第２の内側開口を通じて前記第２のフレア状開口部内に流入し、水の質点が前記第２のフレア状開口部に保持されるステップと、
海波のクレストが離れていくとき、前記第２のフレア状開口部に流入していた水の質点が、水の質点の自重作用により前記第２の内側開口を通じて流入して前記発電コンポーネントを駆動して発電し、前記第１のフレア状開口部を通じて流出するステップと、
を含むことを特徴とする方法。
【請求項１５】
発電用の発電コンポーネントを備える海波発電デバイスであって、
前記海波発電デバイスは、海波中で浮くためのブイを更に備え、
前記発電コンポーネントは前記ブイに設けられ、前記発電コンポーネントの一端に第１のフレア状開口部が設けられ、前記発電コンポーネントの他端に第２のフレア状開口部が設けられ、
前記第１のフレア状開口部の開口は、海波の打ち寄せてくる方向に向き、前記第２のフレア状開口部の開口は海波の離れていく方向に向き、
前記第１のフレア状開口部は第１のフレア状開口本体を備え、前記第１のフレア状開口本体の、前記発電コンポーネントに近い一端に第１の内側開口が設けられ、前記第１のフレア状開口本体の、前記発電コンポーネントから離れた他端に第１の外側開口が設けられ、
前記第２のフレア状開口部は第２のフレア状開口本体を備え、前記第２のフレア状開口本体の、前記発電コンポーネントに近い一端に第２の内側開口が設けられ、前記第２のフレア状開口本体の、前記発電コンポーネントから離れた他端に第２の外側開口が設けられ、
前記第１の内側開口と前記第２の内側開口との距離は、前記第１の内側開口の口径よりも小さく、及び／又は、
前記第１の内側開口と前記第２の内側開口との距離は、前記第２の内側開口の口径よりも小さく、及び／又は、
前記第１の外側開口の下縁から前記第１の内側開口の下縁までの距離は、前記第１の外側開口の上縁から前記第１の内側開口の上縁までの距離よりも短く、及び／又は、
前記第１の外側開口の下縁から前記第１の内側開口の下縁までの距離は、前記第１の外側開口の側縁から前記第１の内側開口の側縁までの距離よりも短く、及び／又は、
前記第１の外側開口の上縁から前記第１の内側開口の上縁までの距離は、前記第１の外側開口の側縁から前記第１の内側開口の側縁までの距離よりも短く、及び／又は、
前記第２の外側開口の下縁から前記第２の内側開口の下縁までの距離は、前記第２の外側開口の上縁から前記第２の内側開口の上縁までの距離よりも短く、及び／又は、
前記第２の外側開口の下縁から前記第２の内側開口の下縁までの距離は、前記第２の外側開口の側縁から前記第２の内側開口の側縁までの距離よりも短く、及び／又は、
前記第２の外側開口の上縁から前記第２の内側開口の上縁までの距離は、前記第２の外側開口の側縁から前記第２の内側開口の側縁までの距離よりも短いことを特徴とする海波発電デバイス。
【請求項１６】
前記第１の外側開口の上縁の水平高さは、前記第１の内側開口の上縁の水平高さよりも低く、及び／又は、
前記第２の外側開口の上縁の水平高さは、前記第２の内側開口の上縁の水平高さよりも低く、及び／又は、
前記第１の外側開口の下縁の水平高さは、前記第１の内側開口の下縁の水平高さよりも低く、及び／又は、
前記第２の外側開口の下縁の水平高さは、前記第２の内側開口の下縁の水平高さよりも低いことを特徴とする請求項１５に記載の海波発電デバイス。
【請求項１７】
前記第１の内側開口と前記第２の内側開口との軸における、海表面に対して垂直な前記ブイの横断面の幅は、前記第１の内側開口と前記第２の内側開口との軸の中間点における、前記第１の内側開口と前記第２の内側開口との軸に対して垂直な前記ブイの横断面の幅よりも短いことを特徴とする請求項１５に記載の海波発電デバイス。
【請求項１８】
前記第１の内側開口と前記第２の内側開口との軸における、海表面に対して垂直な前記ブイの横断面の幅は、海波の移動方向における前記第１の外側開口の側縁に近接し且つ海表面に対して垂直な前記ブイの横断面の幅よりも短く、及び／又は、
前記第１の内側開口と前記第２の内側開口との軸における、海表面に対して垂直な前記ブイの横断面の幅は、海波の移動方向における前記第２の外側開口の側縁に近接し且つ海表面に対して垂直な前記ブイの横断面の幅よりも短いことを特徴とする請求項１５に記載の海波発電デバイス。
【請求項１９】
前記ブイは、前記第１の外側開口のフレア状開口壁の外側に沿って延出して第１のブイフレア状開口部の壁突起を形成し、前記第１のブイフレア状開口部の壁突起は、前記第１の外側開口から突出し、及び／又は、
前記ブイは、前記第２の外側開口のフレア状開口壁の外側に沿って延出して第２のブイフレア状開口部の壁突起を形成し、前記第２のブイフレア状開口部の壁突起は、前記第２の外側開口から突出することを特徴とする請求項１５に記載の海波発電デバイス。
【請求項２０】
前記第１のフレア状開口部、前記第２のフレア状開口部及び前記発電コンポーネントは、前記ブイの下方に配置され、及び／又は、
前記海波発電デバイスの重心は、前記第１のブイの下方に配置され、それによって、前記海波発電デバイスが海中に浮くことを特徴とする請求項１５に記載の海波発電デバイス。
【請求項２１】
前記第１のフレア状開口部の口径は、前記第１の外側開口から前記第１の内側開口に向かって漸進的に縮小し、及び／又は、
前記第２のフレア状開口部の口径は、前記第２の外側開口から前記第２の内側開口に向かって漸進的に縮小することを特徴とする請求項１５に記載の海波発電デバイス。
【請求項２２】
前記第１の内側開口は円形状であり、及び／又は、
前記第２の内側開口は円形状であることを特徴とする請求項１５に記載の海波発電デバイス。
【請求項２３】
前記第１の外側開口の端表面は、湾曲表面であり、及び／又は、
前記第２の外側開口の端表面は、湾曲表面であることを特徴とする請求項１５に記載の海波発電デバイス。
【請求項２４】
前記ブイ、前記第１のフレア状開口部、及び前記第２のフレア状開口部は、一体構造であることを特徴とする請求項１５に記載の海波発電デバイス。
【請求項２５】
前記発電コンポーネントは、パイプ、羽根車、羽根車固定手段、伝達手段及び発電機を備え、
前記パイプの一端は、前記第１の内側開口に接続され、前記パイプの他端は、前記第２の内側開口に接続され、前記羽根車は、前記羽根車固定手段を介して前記パイプ内に固定され、前記羽根車は、前記伝達手段を通じて前記発電機に接続されていることを特徴とする請求項１５乃至２４のいずれか一項に記載の海波発電デバイス。
【請求項２６】
前記伝達手段は、前記羽根車の円周方向ディスクに接続され、前記羽根車と前記ディスクの回転運動を前記発電機に伝達して前記発電機が動作するように駆動することを特徴とする請求項２５に記載の海波発電デバイス。
【請求項２７】
前記海波発電デバイスはさらに、少なくとも一つの水中翼を備え、前記水中翼は、前記第１のフレア状開口部のフレア状開口壁の外側に、及び／又は前記第２のフレア状開口部のフレア状開口壁の外側に、及び／又は前記発電コンポーネントの外側に、及び／又は前記第１のブイの外側に配置され、前記水中翼は、海水と接触していることを特徴とする請求項１５乃至２４のいずれか一項に記載の海波発電デバイス。
【請求項２８】
請求項１５乃至２７のいずれか一項に記載の前記海波発電デバイスを用いて発電する方法であって、
前記第１のフレア状開口部の開口は打ち寄せてくる海波の方向に向き、前記第２のフレア状開口部の開口は、離れていく海波の方向に向くように、前記海波発電デバイスを海中に取り付けるステップと、
海波のクレストが打ち寄せるとき、海波中の水の質点が、前記第１のフレア状開口部から流入して前記発電コンポーネントを駆動して発電し、前記第２のフレア状開口部から流出するステップと、
海波のクレストが離れていくとき、海波中の水の質点が、前記第２のフレア状開口部から流入して前記発電コンポーネントを駆動して発電し、前記第１のフレア状開口部から流出するステップと、
を含むことを特徴とする方法。
【請求項２９】
海波発電システムであって、
少なくとも一つの請求項１乃至１３及び１５乃至２７のいずれか一項に記載の海波発電デバイスと、少なくとも一つの取付手段とを備え、
前記海波発電デバイスは、海波の移動方向に沿って前後に一列又は少なくとも二列に接続され、
各列は、少なくとも一つの前記海波発電デバイスを備え、前記一列又は少なくとも二列の海波発電デバイスは、一つの前記取付手段へ接続されるか又は少なくとも二つの前記取付手段の間に接続されることを特徴とする海波発電システム。
【請求項３０】
前記取付手段は、海中に固定される少なくとも一つのパイルと前記パイルに摺動可能に外嵌するプーリースリーブとを備え、
少なくとも一列の前記海波発電デバイス又は少なくとも一つの前記海波発電デバイスは、チェーン、ケーブル又は剛性ロッドを介して前記プーリースリーブに接続されパイルに取り付けられ、前記少なくとも一列の海波発電デバイス又は前記少なくとも一つの前記海波発電デバイスを海表面に浮かせ又は海水中に浮遊させ、
又は、前記少なくとも一列の前記海波発電デバイス又は前記少なくとも一つの前記海波発電デバイスは、チェーン、ケーブル又は剛性ロッドを介して少なくとも二つの前記プーリースリーブ間に接続され、各前記プーリースリーブは、対応する一つの前記パイル上に摺動可能に外嵌し、前記少なくとも一列の海波発電デバイス又は前記少なくとも一つの海波発電デバイスを海表面に浮かせ又は海水中に浮遊させ、前記少なくとも二つのパイルは、海波の移動方向に沿って配置され、
更に、前記海波発電システムでは、前記少なくとも一列の海波発電デバイスの各列の各海波発電デバイスの間に、又は前記少なくとも一つの海波発電デバイスの各々の間に、電気ケーブルが接続されることを特徴とする請求項２９に記載の海波発電システム。
【請求項３１】
前記海波発電システムは、少なくとも二列の前記海波発電デバイス又は少なくとも二つの前記海波発電デバイスを備え、
前記少なくとも二列の海波発電デバイス又は前記少なくとも二つの海波発電デバイスは、チェーン、ケーブル又は剛性ロッドを介して連続的に接続され、更に、前記少なくとも二列の海波発電デバイスの間に又は前記少なくとも二つの海波発電デバイスの間に電気ケーブルが接続されており、
前記海波発電システムにおいて、
前記少なくとも二列の海波発電デバイス又は前記少なくとも二つの海波発電デバイスは、チェーン、ケーブル又は剛性ロッドを介して前記プーリースリーブへ接続されパイルへ取り付けられ、前記少なくとも二列の海波発電デバイス又は前記少なくとも二つの海波発電デバイスを海表面に浮かせ又は海水中に浮遊させ、
又は、前記少なくとも二列の海波発電デバイス又は前記少なくとも二つの海波発電デバイスは、チェーン、ケーブル又は剛性ロッドを介して少なくとも二つの前記プーリースリーブ間に接続され、各前記プーリースリーブは、対応する各前記パイルに摺動可能に外嵌し、前記少なくとも二列の海波発電デバイス又は前記少なくとも二つの海波発電デバイスを海表面に浮かせ又は海水中に浮遊させ、前記少なくとも二つのパイルは、海波の移動方向に沿って配置されることを特徴とする請求項３０に記載の海波発電システム。
【請求項３２】
前記プーリースリーブは、スリーブ、第３のブイ、少なくとも一列のホイール及び固定ホイール手段を備え、
前記スリーブが前記パイルに摺動可能に外嵌し、前記少なくとも一列のホイールが前記スリーブと前記パイルとの間に配置され且つ前記固定ホイール手段を介して前記スリーブ内に固定され、前記第３のブイが前記スリーブに接続され、前記少なくとも一列のホイールが、前記第３のブイと連携して、前記プーリースリーブを海表面に浮かせる又は海水中に浮遊させることを特徴とする請求項３０又は３１に記載の海波発電システム。
【請求項３３】
前記取付手段は、アンカーとケーブルとを備え、
複数列の前記海波発電デバイス又は複数の前記海波発電デバイスは、チェーン、ケーブル又は剛性ロッドを介して連続的に接続され、前記複数列の海波発電デバイス又は前記複数の海波発電デバイスが海表面に浮き又は海水中に浮遊するように前記アンカーと前記ケーブルを介して取り付けられ、
更に電気ケーブルが、前記複数列の海波発電デバイス又は前記複数の海波発電デバイスの間に接続されることを特徴とする請求項２９に記載の海波発電システム。
【請求項３４】
請求項１乃至１３のいずれか一項に記載の海波発電デバイスを複数個、取り付ける方法であって、
二つのパイルを、海波の移動方向に沿って、海中において垂直に固定するステップと、
各前記パイルに、ブイを有するプーリースリーブを配置するステップであって、前記プーリースリーブが、対応する前記パイル上を摺動するステップと、
各前記海波発電デバイスの前記第１のフレア状開口部の開口は海底に向き、前記第２のフレア状開口部の開口は空に向くように、前記複数の海波発電デバイスを一列に、海波の移動方向に沿って接続するステップと、
一列に接続した前記複数の海波発電デバイスの両端に位置する海波発電デバイスをそれぞれ、対応する前記二つのプーリースリーブに取り付けるステップと
を含むことを特徴とする方法。
【請求項３５】
請求項１５乃至２７のいずれか一項に記載の海波発電デバイスを複数個、取り付ける方法であって、
二つのパイルを、海波の移動方向に沿って、海中において垂直に固定するステップと、
各前記パイルに、ブイを有するプーリースリーブを配置するステップであって、前記プーリースリーブが、対応する前記パイル上を摺動するステップと、
各前記海波発電デバイスの前記第１のフレア状開口部の開口は海波の打ち寄せてくる方向に向き、前記第２のフレア状開口部の開口は海波の離れていく方向に向くように、前記複数の海波発電デバイスを一列に、海波の移動方向に沿って接続するステップと、
一列に接続した前記複数の海波発電デバイスの両端に位置する海波発電デバイスをそれぞれ、対応する前記二つのプーリースリーブに取り付けるステップと
を含むことを特徴とする方法。
【手続補正２】
【補正対象書類名】明細書
【補正対象項目名】全文
【補正方法】変更
【補正の内容】
【発明の詳細な説明】
【発明の名称】海波発電デバイス及びシステム並びにその発電方法及び取付方法
【技術分野】
【０００１】
本発明は、発電デバイスに関し、特に海波エネルギーを使用することによって発電するためのデバイス及びシステムに関する。
【背景技術】
【０００２】
エネルギー不足及び環境汚染が世界中の人々にとって二つの顕著な問題となっている。また、中華人民共和国の電力供給不足は、産業生産物、農産物、及び人々の日々の生活に大きく影響を及ぼしている。環境に優しく、十分な新たなエネルギー源を見つけることは、緊急且つ有益な仕事である。海波エネルギーの使用による発電の開発は、良好な選択肢である。しかしながら、国内外での現在の設計では、海波エネルギーの利用が十分でない、また発電デバイスの効率が低いといった問題がある。
【発明の概要】
【発明が解決しようとする課題】
【０００３】
本発明は、国内外での現在の設計では、海波エネルギーの不十分な利用、発電デバイスの低い効率といった問題に関して高効率で海波エネルギーを使用する海波発電デバイス及び海波発電システムを提供する。
【課題を解決するための手段】
【０００４】
本発明の技術的解決策の一態様は、海波発電デバイスを提供する。
【０００５】
この海波発電デバイスは、第１のブイ、第１のフレア状（広がりのある）開口部、第２のフレア状開口部及び発電コンポーネントを備える。第１のフレア状開口部と第２のフレア状開口部は、夫々発電コンポーネントの二つの側に配置され、前記発電コンポーネントと共に、第１のブイに固定されている。海波中の海水は、一方のフレア状開口部を通って発電コンポーネントへ通過し、次に、この発電コンポーネントを通って他方のフレア状開口部へ流れる。発電コンポーネントに近い前記第１のフレア状開口部の開口は、内側開口であり、発電コンポーネントから離れた開口は、外側開口である。発電コンポーネントに近い第２のフレア状開口部の開口は、内側開口であり、発電コンポーネントから離れた開口は、外側開口である。
【０００６】
更に、海波発電デバイスが、主に海水の横方向の運動エネルギー及び位置エネルギーを得るために使用される場合、前記第１のブイは、前記第１のフレア状開口部と前記第２のフレア状開口部との間に位置し、前記第１のフレア状開口部の外側開口と前記第２のフレア状開口部の外側開口の上縁部の近くにあってよい。
【０００７】
前記第１のフレア状開口部、前記第２のフレア状開口部及び前記発電コンポーネントは、前記第１のブイの下方に位置し、前記海波発電デバイスの重心は、前記第１のブイの下方に位置し、それによって、前記海波発電デバイスは、海中に浮かび、前記第１のフレア状開口部の内側開口と前記第２のフレア状開口部の内側開口は、海水中に沈む。
【０００８】
海波中の海水は、一方のフレア状開口部を介して発電コンポーネントへ通過し、次に、発電コンポーネントを介して他方のフレア状開口部へ流れる。前記海波発電デバイスは、海表面に浮き海表面に近接する海水の運動エネルギーと波の位置エネルギーを収集することができると共に、海表面の下方に浮遊し海表面下の海水の運動エネルギーと位置エネルギーを収集できる。
【０００９】
海波発電デバイスが、主に海水の垂直の運動エネルギーと位置エネルギーを得るために使用される場合、前記第１のブイは、前記第１のフレア状開口部と前記第２のフレア状開口部との間に位置し、前記海波発電デバイスが海中に浮かび、波の水が一方のフレア状開口部を介して発電コンポーネントへ通過し、次に発電コンポーネントを介して他方のフレア状
開口へ流れるように前記第１のフレア状開口部と前記第２のフレア状開口部の周囲に沿って分布される。前記海波発電デバイスは、海表面に浮かび海表面に近接する海水の運動と波の位置エネルギーを収集することができると共に、海表面に下方に浮遊し海表面下の海水の運動エネルギーと位置エネルギーを収集することができる。
【００１０】
海波発電デバイスが海水の垂直運動と位置エネルギーを収集し且つ使用する用途では、前記海波発電デバイスは、更に、前記第１のブイに向き合って配置される第２のブイを備えることができ、前記第１のフレア状開口部、前記第２のフレア状開口部及び前記発電コンポーネントは、前記海波発電デバイスが海中に浮かび、波の水が一方のフレア状開口部を介して発電コンポーネントへ通過し、次に、発電コンポーネントを介して他方のフレア状開口部へ流れるように前記第１のブイと前記第２のブイとの間に位置される。前記海波発電デバイスは、海表面に浮かび海表面に近接する海水の運動エネルギーと波の位置エネルギーを収集することができると共に、海表面に下方に浮遊し海洋面下の海水の運動エネルギーと位置エネルギーを収集することができる。
【００１１】
更に、前記海波発電デバイスにおける発電コンポーネントは、パイプ、羽根車、羽根車固定手段、伝達手段及び発電機を備える。
【００１２】
前記パイプの一端は、前記第１のフレア状開口部の内側開口へ接続され、前記パイプの他端は、前記第２のフレア状開口部の内側開口へ接続され、前記第１のフレア状開口部の内側開口と前記第２のフレア状開口部の内側開口は、前記パイプを介して互いに接続され、前記羽根車は、前記固定手段によって前記パイプ内へ位置されており、そこでは海水が前記パイプ中を流れて前記羽根車を回転させ、そして前記羽根車は、前記伝達手段によって前記発電機を駆動して動作させ、電力を発生させる。前記発電機、前記パイプ及び前記二つのフレア状開口部は、共に前記第１のブイへ固定され、発電機の外側に、その発電機を海水や湿った空気との接触及び腐食から守るためにハウジングが設けられる。加えて、伝達手段は、既存のテクノロジーによれば、海水が伝達手段に沿って発電機内へ入らないように水からの隔離効果を十分に実現できる。なお、前記羽根車、前記羽根車固定手段、前記伝達手段及び前記発電機は、複数個又は複数セットであってもよい。
【００１３】
更に、前記海波発電デバイスにおける発電コンポーネントのパイプは、また、対応する前記伝達手段を備える一つ以上のチャンバを備えることができ、前記一つ以上の発電機は、対応する前記伝達手段を備える前記一つ以上のチャンバ内に位置することができる。前記一つ以上のチャンバの位置は、パイプの外側の任意の位置又はパイプの内側の任意の位置であり得る。前記一つ以上のチャンバの形状は、任意の形状であり得る。前記チャンバの主機能は、海水や湿った空気との接触及び腐食から発電機を保護することである。発電機自体の外側に、海洋水や湿った空気との接触及び腐食から発電機を保護するために密閉型の腐食防止ハウジングが設けられてもよい。しかしながら、前記チャンバは、発電機の二重保護を実現できる。更に、伝達手段は、海水が伝達手段に沿ってチャンバや発電機内へ入らないように既存のテクノロジーに従って水からの隔離効果を完全に実現できる。
【００１４】
更に、前記伝達手段は、前記羽根車の回転シャフトへ接続され、前記羽根車の回転運動を前記発電機へ伝達して動作させて発電させ、又は
前記伝達手段は、前記羽根車の円周方向ディスクへ接続され、前記羽根車の回転運動を前記発電機へ伝達して動作させて発電させる。
【００１５】
前記羽根車は、ウエルズ（Ｗｅｌｌｓ）羽根車を採用でき、どのフレア状開口部を通って羽根車へ水が流れるかに関係なく、即ち、第１のフレア状開口部を通って又は第２のフレア状開口部を通って羽根車へ水が流れるかに関係なく、羽根車は、同じ方向へ回転し、発電機を駆動して発電させることができる。
【００１６】
更に、前記発電コンポーネントの発電機は、複数の技術的解決策を採用できる。一つの技術的解決策は、発電機が少なくとも一セットの電機子アセンブリと少なくとも一セットの磁極アセンブリを備え、前記電機子アセンブリと磁極アセンブリが共通軸回りに相対運動し、一セットの電機子アセンブリと一セットの磁極アセンブリが電磁ユニットを形成し、前記電磁ユニットは、前記パイプの周方向に沿ってパイプ壁の外側でリング形状構造に分布され、前記パイプの軸を共通軸として使用する。
【００１７】
前記電磁ユニットにおいて、前記電機子アセンブリが固定子であり、前記磁極アセンブリが回転子であり、且つ前記回転子が前記伝達手段によって駆動されて回転し、又は前記電機子アセンブリが回転子であり、前記磁極アセンブリが固定子であり、且つ前記回転子が前記伝達手段によって駆動されて回転する。
【００１８】
一つ以上のチャンバを備える前記パイプの技術的解決策において、前記発電コンポーネントの前記発電機は、複数の技術的解決策を採用できる。一つの解決策は、発電機が少なくとも一セットの電機子アセンブリと少なくとも一セットの磁極アセンブリを備え、前記電機子アセンブリと磁極アセンブリが共通軸回りに相対運動し、一セットの電機子アセンブリと一セットの磁極アセンブリが電磁ユニットを形成し、前記電磁ユニットは、パイプの周方向に沿ってパイプ壁の外側でリング形状構造に分布され、前記パイプの軸を共通軸として使用する。この技術的解決策では、発電機の形状に適合する前記チャンバは、パイプの周方向に沿ってパイプ壁の外側でリング形状構造に分布され、前記パイプの軸を共通軸として使用する。このように、前記チャンバは、海水や湿った空気との接触及び腐食から発電機を保護するように前記パイプの周方向へパイプ壁の外側で前記発電機を包む。なお、前記発電機と前記付随のチャンバとは、パイプの軸に沿って配置される複数のセットであってもよく、前記複数のセットの発電機は複数のセットの伝達手段及び／又は複数のセットの羽根車と共に、それぞれ対応して使用されてもよい。
【００１９】
前述の電磁ユニットにおいて、前記電機子アセンブリは、固定子であり、前記磁極アセンブリは、回転子であり、且つ前記回転子は、前記伝達手段によって駆動されて回転すし、又は、前記電機子アセンブリは、回転子であり、前記磁極アセンブリは、固定子であり、且つ前記回転子は、前記伝達手段によって駆動されて回転する。
【００２０】
加えて、前記羽根車と前記電磁ユニットの回転子は、前記伝達手段によって駆動され得、又は、前記羽根車は、前記電磁ユニットの前記回転子を直接駆動し回転させる。この場合、前記羽根車の半径方向における延長線部分は、前記電磁ユニットの回転子であり、この回転子は、電機子アセンブリ又は磁極アセンブリであってよい。この場合、前記羽根車は、前記パイプの内側にあり、前記回転子は、前記パイプのパイプ壁の外側にあり、周方向へ前記パイプ壁の外側を囲んで分布される。前記パイプのパイプ壁と、前記羽根車と回転子との間に、海水や湿った空気がパイプ壁と羽根車との間のインターフェースからパイプ壁の外側に侵入しないよう、且つ発電機に入る海水や湿った空気によって引き起こされる回路の短絡やデバイスの腐食の問題を除去して防水と水からの隔離機能を実現するために、既存の技術に従って防水と水隔離処理が採用され得る。
【００２１】
更に、腐食防止の絶縁層及び／又は密閉層が保護のために前記電機子アセンブリの外側に設けられ、及び／又は腐食防止の絶縁層及び／又は密閉層が保護のために前記磁極アセンブリの外側に設けられる。
【００２２】
パイプへ打ち寄せる水の流れにより、羽根車が良好に駆動され回転し、最終的に発電機を駆動してより効率的に発電を行うために、前記第１のフレア状開口部の内側開口は、円形状であり、及び／又は前記第２のフレア状開口部の内側開口は、円形状である。
【００２３】
更に、前記第１のフレア状開口部の内側開口と前記第２のフレア状開口部の内側開口との間の距離は、前記内側開口の口径よりも短い。これにより、パイプに入る海水は、羽根車を良好に駆動して発電させ、海水の運動エネルギーは、長すぎるパイプ壁による減衰に起因したロスがない。このように、パイプが短い程、効果が良好であり、打ち寄せる海水の運動エネルギーのロスが可能な限り少ない。
【００２４】
海波発電デバイスの前述の技術的解決策において、異なる実施域の海波特性に関して、最適な波蓄積効果を達成するために、前記第１のフレア状開口部の外側開口の端面は、湾曲表面又は平面であり得、及び／又は前記第２のフレア状開口部の外側開口の端面は、湾曲表面又は平面であり得る。
【００２５】
更に、前記第１のフレア状開口部の口径は、外側開口から内側開口へ向かって規則的且つ徐々に縮小し、又は不規則に且つ徐々に縮小し、及び／又は、前記第２のフレア状開口部の口径は、外側開口から内側開口へ向かって規則的且つ徐々に縮小し、又は不規則に且つ徐々に縮小する。
【００２６】
海波発電デバイスが海波の横方向運動エネルギーと位置エネルギーを収集し使用する技術的解決策において、異なる実施域の海波特性に関して、パイプに打ち寄せる海水が羽根車を駆動して最も高い運動エネルギー状態で発電させ最終的に発電機を駆動して最も高い効率で発電させるように最適な波蓄積効果を達成するため、フレア状開口部の技術解決策は、以下の通りである。
【００２７】
前記第１のフレア状開口部の外側開口の上縁の水平高さは、前記第１のフレア状開口部の内側開口の上縁の水平高さよりも低く、及び／又は前記第２のフレア状開口部の外側開口の上縁の水平高さは、前記第２のフレア状開口部の内側開口の上縁の水平高さよりも低く、又は、
前記第１のフレア状開口部の外側開口の上縁の水平高さは、前記第１のフレア状開口部の内側開口の上縁の水平高さよりも高く、及び／又は前記第２のフレア状開口部の外側開口の上縁の水平高さは、前記第２のフレア状開口部の内側開口の上縁の水平高さよりも高く、又は、
前記第１のフレア状開口部の外側開口の下縁の水平高さは、前記第１のフレア状開口部の内側開口の下縁の水平高さよりも低く、及び／又は前記第２のフレア状開口部の外側開口の下縁の水平高さは、前記第２のフレア状開口部の内側開口の下縁の水平高さよりも低く、又は、
前記第１のフレア状開口部の外側開口の下縁の水平高さは、前記第１のフレア状開口部の内側開口の下縁の水平高さよりも高く、及び／又は前記第２のフレア状開口部の外側開口の下縁の水平高さは、前記第２のフレア状開口部の内側開口の下縁の水平高さよりも高い。
【００２８】
更に、海洋発電デバイスが海波の横方向運動エネルギーと位置エネルギーを収集し使用する技術的解決策において、フレア状開口部の形状は、以下のようであってもよい。
【００２９】
前記第１のフレア状開口部の外側開口の上縁から前記第１のフレア状開口部の内側開口の上縁までの垂直方向の縦断面は、任意の湾曲形状或いは直線形状であり、及び／又は前記第２のフレア状開口部の外側開口の上縁から前記第２のフレア状開口部の内側開口の上縁までの垂直方向の縦断面は、任意の湾曲形状或いは直線形状であり、又は、
前記第１のフレア状開口部の外側開口の下縁から前記第１のフレア状開口部の内側開口の下縁までの垂直方向の縦断面は、任意の湾曲形状或いは直線形状であり、及び／又は前記第２のフレア状開口部の外側開口の下縁から前記第２のフレア状開口部の内側開口の下縁までの垂直方向の縦断面は、任意の湾曲形状或いは直線形状であり、又は、
前記第１のフレア状開口部の外側開口の側縁から前記第１のフレア状開口部の内側開口の側縁までの水平方向断面は、任意の湾曲形状或いは直線形状であり、及び／又は前記第２のフレア状開口部の外側開口の側縁から前記第２のフレア状開口部の内側開口の側縁までの水平方向断面は、任意の湾曲形状或いは直線形状である。
【００３０】
更に、海波発電デバイスが海波の横方向運動エネルギーと位置エネルギーを収集し使用する技術的解決策において、フレア状開口部の形状は、以下のようであってもよい。
【００３１】
前記第１のフレア状開口部の外側開口の下縁から前記第１のフレア状開口部の内側開口の下縁までの距離は、前記第１のフレア状開口部の外側開口の上縁から前記第１のフレア状開口部の内側開口の上縁までの距離よりも短く、及び／又は、前記第１のフレア状開口部の外側開口の下縁から前記第１のフレア状開口部の内側開口の下縁までの距離は、前記第１のフレア状開口部の外側開口の側縁から前記第１のフレア状開口部の内側開口の側縁までの距離よりも短く、及び／又は、前記第１のフレア状開口部の外側開口の上縁から前記第１のフレア状開口部の内側開口の上縁までの距離は、前記第１のフレア状開口部の外側開口の側縁から前記第１のフレア状開口部の内側開口の側縁までの距離よりも短く、及び／又は、
前記第２のフレア状開口部の外側開口の下縁から前記第２のフレア状開口部の内側開口の下縁までの距離は、前記第２のフレア状開口部の外側開口の上縁から前記第２のフレア状開口部の内側開口の上縁までの距離よりも短く、及び／又は、前記第２のフレア状開口部の外側開口の下縁から前記第２のフレア状開口部の内側開口の下縁までの距離は、前記第２のフレア状開口部の外側開口の側縁から前記第２のフレア状開口部の内側開口の側縁までの距離よりも短く、及び／又は、前記第２のフレア状開口部の外側開口の上縁から前記第２のフレア状開口部の内側開口の上縁までの距離は、前記第２のフレア状開口部の外側開口の側縁から前記第２のフレア状開口部の内側開口の側縁までの距離よりも短い。
【００３２】
更に、海波発電デバイスが海波の横方向運動エネルギーと位置エネルギーを収集し使用する技術的解決策において、第１のブイは、複数のタイプの形態であり得るが、好適な形態では、海波の移動方向のブイのサイズが海波の移動方向に対して垂直な方向の水平面よりも短い。このような形態の利点は、ブイの形状が海波のクレスト形状と一直線になり、クレスト形状と一致することであり、これは、本発明のデバイスが水平に打ち寄せる海波を受け取りその運動エネルギーと位置エネルギーを収集するのに都合がよい。また、ブイが海洋のクレストの打ち寄せ前の早過ぎる浮上を防ぎ、海波とフレア状開口部とパイプの相対移動を減少することができる。それによって海水の運動エネルギーを減少して羽根車を駆動して発電させる。この目的を達成するために、第１のブイの設計は以下の通りである。
【００３３】
１．前記第１のフレア状開口部の内側開口と前記第２のフレア状開口部の内側開口の軸における、海表面に対して垂直な前記第１のブイの横断面の幅は、前記第１のフレア状開口部と前記第２のフレア状開口部の二つの内側開口の軸の中間点における、フレア状開口部の内側開口の軸に対して垂直な前記第１のブイの断面の幅よりも短く、
２．前記第１のフレア状開口部の内側開口と前記第２のフレア状開口部の内側開口の軸における、前記第１のブイの海表面に対して垂直な横断面の幅は、海波の移動方向における前記第１のフレア状開口部の外側開口の側縁に近接し且つ前記海表面に対して垂直な前記第１のブイの横断面の幅よりも短く、
及び／又は、
前記第１のフレア状開口部の内側開口と前記第２のフレア状開口部の内側開口の軸における、海表面に対して垂直な前記第１のブイの横断面の幅は、海波の移動方向における前記第２のフレア状開口部の外側開口の側縁に近接し且つ前記海表面に対して垂直な前記第１のブイの横断面の幅よりも短い。
【００３４】
加えて、より良好な波蓄積効果を達成するために、前記第１のブイは、前記第１のフレア状開口部のフレア状開口壁の外側に沿って延出して第１のブイフレア状開口部の壁突起を形成し、前記第１のブイフレア状開口部の壁突起は、前記第１のフレア状開口部の外側開口から突出し、及び／又は、前記第１のブイは、前記第２のフレア状開口部のフレア状開口壁の外側に沿って延出して第２のブイフレア状開口部の壁突起を形成し、前記第１のブイフレア状開口部の壁突起は、前記第２のフレア状開口部の外側開口から突出する。このように、ブイの突起は、フレア状開口部の更なる波蓄積効果達成に役立つ。
【００３５】
海波発電デバイスが海波の横方向運動エネルギーと位置エネルギーを収集し使用する技術的解決策において、異なる実施域の海波特性に関して、パイプに打ち寄せる海水が羽根車を駆動して最も高い運動エネルギー状態で発電させ最終的に発電機を駆動して最も高い効率で発電させるように最適な波蓄積効果を達成するため、海波の移動方向における前記第１のフレア状開口部の内側開口と前記第２のフレア状開口部の内側開口の軸にあり海表面に対して垂直な第１のブイの横断面の幅は、前記第１のフレア状開口部の内側開口と前記第２のフレア状開口部の内側開口の軸にあり海波の移動方向に対して垂直な第１のブイの横断面の幅よりも短い。
【００３６】
海波発電デバイスが二つのブイを備える技術的解決策において、海波の移動方向における前記第１のフレア状開口部の内側開口と前記第２のフレア状開口部の内側開口の軸にあり海表面に対して垂直な第１のブイの横断面の幅は、前記第１のフレア状開口部の内側開口と前記第２のフレア状開口部の内側開口の軸にあり海波の移動方向に対して垂直な第１のブイの横断面の幅よりも短く、及び／又は、
海波の移動方向における前記第１のフレア状開口部の内側開口と前記第２のフレア状開口部の内側開口の軸にあり海表面に対して垂直な第２のブイの横断面の幅は、前記第１のフレア状開口部の内側開口と前記第２のフレア状開口部の内側開口の軸にあり海波の移動方向に対して垂直な第２のブイの横断面の幅よりも短い。
【００３７】
更に、海波発電デバイスが海波の垂直方向運動エネルギーと位置エネルギーを収集し使用する技術的解決策において、フレア状開口部の形状は、海波エネルギーの収集を最良に促進し且つ最良の発電効果を達成するために以下の態様へ調節され得る。
【００３８】
打ち寄せてくる海波に向く方向における前記第１のフレア状開口部のフレア状開口壁の幅は、離れていく海波に沿う方向における前記第１のフレア状開口部のフレア状開口壁の幅よりも短く、及び／又は打ち寄せてくる海波に向く方向における前記第２のフレア状開口部のフレア状開口壁の幅は、離れていく海波に向く方向における前記第２のフレア状開口部のフレア状開口壁の幅よりも短く、
及び／又は、打ち寄せてくる海波に向く方向における前記第１のフレア状開口部のフレア状開口壁の幅は、海波の移動方向に対して垂直な方向における前記第１のフレア状開口部のフレア状開口壁の幅よりも短く、及び／又は打ち寄せてくる海波に向く方向における前記第２のフレア状開口部のフレア状開口壁の幅は、海波の移動方向に対して垂直な方向における前記第２のフレア状開口部のフレア状開口壁の幅よりも短く、
及び／又は、離れていく海波に面する方向における前記第１のフレア状開口部のフレア状開口壁の幅は、海波の移動方向に対して垂直な方向における前記第１のフレア状開口部のフレア状開口壁の幅よりも短く、及び／又は離れていく海波に面する方向における前記第２のフレア状開口部のフレア状開口壁の幅は、海波の移動方向に対して垂直な方向における前記第２のフレア状開口部のフレア状開口壁の幅よりも短い。
【００３９】
前記海波発電デバイスが一つのブイを備える上記解決策の全てにおいて（海波の横方向運動エネルギーと位置エネルギーを使用する発電機と海波の垂直方向運動エネルギーと位置エネルギーを使用する発電機の二つの場合を含む）、前記海波発電デバイスは、少なくとも一つの水中翼を備え得、この水中翼は、前記第１のフレア状開口部のフレア状開口壁の外側、及び／又は前記第２のフレア状開口部のフレア状開口の外側、及び／又は前記発電コンポーネントの外側、及び／又は前記第１のブイの外側に位置し、前記水中翼は、海水と接している。このように、発電機の姿勢とバランスの安定が向上され得、発電機の通常の動作及び効率的発電に好都合である。
【００４０】
更に、前記海波発電デバイスが二つのブイを備える技術的解決策において、前記海波発電デバイスは、少なくとも一つの水中翼を備え得、この水中翼は、前記第１のフレア状開口部のフレア状開口壁の外側、及び／又は前記第２のフレア状開口部のフレア状開口壁の外側、及び／又は前記発電コンポーネントの外側、及び／又は前記第１のブイの外側、及び／又は前記第２のブイの外側に位置し、前記水中翼は、少なくとも一つの水中翼を備える上記技術的解決策と同様に、海水と接している。
【００４１】
本発明の技術的解決策の他の態様として、海波発電システムが提供される。
【００４２】
この海波発電システムは、少なくとも一つの前述の海波発電デバイスと少なくとも一つの取付手段を備え、前記海波発電デバイスは、海波の移動方向に前後に一列又は少なくとも二列に接続されており、各列は、少なくとも一つの前記海波発電デバイスを備え、前記一列又は少なくとも二列の海波発電デバイスは、一つの前記取付手段へ接続され、又は少なくとも二つの取付手段の間に接続される。
【００４３】
海波は、深海から浅海への方向で伝搬する。海波クレストが主に海波の横方向運動エネルギーと位置エネルギーを収集して発電する発電機へ打ち寄せると、この発電機は、取付手段と前後に直列に接続された他の手段の抑制効果に起因して海波と共に移動できず、従って、海波中の海水が前記手段に対して相対運動し、海波中の海水は、打ち寄せてくる海波に向く方向へフレア状開口部によって集められ、パイプ中を流れて羽根車を回転、それが発電機を駆動して発電する。海波が流れ出ると、発電機は、なお、取付手段又は前後に直列に接続された他の手段の抑制効果に起因して海波と共に移動できず、従って、海波中の海水が再び前記手段に対して相対運動し、海水が離れていく海波に向く方向へフレア状開口部からパイプ内に入り羽根車を回転させて働かせ、それが発電機を駆動して発電する。海波は繰り返し打ち寄せ、前述のプロセスが繰り返されて、連続的に発電する。海波中の水プロトンの運動軌道が明細書の発明を実施するための形態の部分で詳細に説明される。前記羽根車は、ウエルズ（Ｗｅｌｌｓ）羽根車を採用でき、羽根車は、羽根車を通って流れる水流の方向に関係なく同じ方向へ回転して発電機を駆動して発電する。
【００４４】
海波発電デバイスが主に海洋水の垂直方向運動エネルギーと位置エネルギーを収集して使用する技術的解決策において、打ち寄せる海波が逆さまの浅いボウル（椀）形状の下側フレア状開口部の収集機能下で垂直方向海波エネルギーを収集するための発電機に到達すると、海波中の海水は、この発電機に対して垂直方向相対運動し、海波が発電機の全重力の作用及び直列に前後に又は取付手段に接続された他の海波発電デバイスの引きずり制動下で到達し、海波が前記下側のフレア状開口部の内側開口内に打ち寄せ、次に、パイプ内に入って羽根車を回転、それで発電機を駆動して発電させる。羽根車を通過する海水は、更にパイプに沿って上側のフレア状開口部内に打ち寄せ、上側のフレア状開口部によって収集され運ばれる。ボウルのような上側のフレア状開口部は、丁度海水を運ぶことができる。海波が打ち寄せた後、上側のフレア状開口部によって収集され運ばれた海水は、それ自体の重力の作用によって、パイプに沿って上側のフレア状開口部の内側開口を通って下方に流れ、羽根車を回転させて働かせ、このプロセスにおいて発電機を駆動、発電させる。羽根車を通って流れる海水は、連続して下方に流れ、下側のフレア状開口部の内側開口を通って下側のフレア状開口部そして海洋へ流れる。海波が繰り返し打ち寄せ、前述のプロセスが繰り返されて連続して発電する。前記羽根車は、ウエルズ羽根車を採用することができ、羽根車を介して上側のフレア状開口部内に上方へ流れる又は上方のフレア状開口部から羽根車を通って下方のフレア状開口部そして海に下方に流れる海水に関係なく、その羽根車は同じ方向へ回転し発電機を駆動、発電させる。
【００４５】
海波発電システムの取付手段は、複数の選択肢を有し得る。例えば、取付手段の第１の実施は、以下の通りである。すなわち、発電システムにおける取付手段は、アンカーとケーブルを備え、前記複数列の又は複数の海波発電デバイスは、チェーン、ケーブル又は剛性ロッドを介して連続的に接続され、それらは、前記複数列の又は複数の海波発電デバイスが海表面に浮き、又は海水中に浮遊するように、前記アンカーと前記ケーブルを介して取付けられ、電力ケーブルが、更に前記複数列の又は複数の海波発電デバイス間に接続される。
【００４６】
海波発電システムにおける取付手段の第２の実施は以下の通りである。すなわち、取付手段が海水中に固定された少なくとも一つのパイルと、前記パイル上に摺動可能に外嵌するプーリースリーブとを備える。
【００４７】
少なくとも一列の前記海波発電デバイスの又は少なくとも一つの前記海波発電デバイスは、前記少なくとも一列の前記海波発電デバイス又は少なくとも一つの前記海波発電デバイスが海表面に浮き、又は海水中に浮遊するように、チェーン、ケーブル又は剛性ロッドを介して前記プーリースリーブに接続されパイルに固定される、又は、前記少なくとも一列の前記海波発電デバイス又は少なくとも一つの前記海波発電デバイスは、チェーン、ケーブル又は剛性ロッドを介して少なくとも二つの前記プーリースリーブ間に接続され、前記プーリースリーブの各々は、前記少なくとも一列の前記海波発電デバイス又は少なくとも一つの海波発電デバイスが海表面に浮き、又は海水中に浮遊するように、対応する一つの前記パイル上に摺動可能に外嵌する。
【００４８】
更に、取付手段の第２の実施が採用されると、海波発電システムは、少なくとも二列の海波発電デバイス又は少なくとも二つの海波発電デバイスを備えることができ、前記少なくとも二列の海波発電デバイス又は少なくとも二つの海波発電デバイスは、チェーン、ケーブル又は剛性ロッドを介して連続的に接続され、電力ケーブルは、更に前記少なくとも二列の海波発電デバイス又は少なくとも二つの海波発電デバイスの間に接続され、又は、
前記少なくとも二列の海波発電デバイス又は少なくとも二つの海波発電デバイスは、前記少なくとも二列の海波発電デバイス又は少なくとも二つの海波発電デバイスが海表面に浮く又は海洋中に浮遊するようにチェーン、ケーブル又は剛性ロッドを介して前記プーリースリーブへ接続され且つパイルへ取付けられ、
又は、前記少なくとも二列の海波発電デバイス又は少なくとも二つの海波発電デバイスは、チェーン、ケーブル又は剛性ロッドを介して少なくとも二つの前記プーリースリーブ間に接続され、各前記プーリースリーブは、前記少なくとも二列の海波発電デバイス又は少なくとも二つの海波発電デバイスが海表面に浮く又は海水中に浮遊するように、対応する一つの前記パイル上摺動可能に外嵌する。
【００４９】
取付手段の第２の実施において、前記プーリースリーブは、スリーブ、第３のブイ、少なくとも一列のホイール及び固定ホイール手段を備える。
【００５０】
前記スリーブは、前記パイル上を滑り、前記少なくとも一列のホイールは、前記スリーブと前記パイルとの間に位置し、前記固定ホイール手段によって前記スリーブに固定される。前記第３のブイは、スリーブに接続され、前記少なくとも一列のホイールは、前記第３のブイと共働して前記プーリースリーブを海表面に浮かせる又は海水中に浮遊させ、前記パイルに沿って上下に浮動させる。このように、全システムの取付手段が直列に接続された発電機に対して横方向固定機能を実行して、潮が上がったり下がったりする時、即ち、海表面の水位が変化する場合、全体のセットの発電機の相対変位を制限する効果が達成され得る。このように、発電機は、海波の衝撃下で波と共には動かず、従って、海波中の海水の質点がフレア状開口部、パイプ及び発電機の羽根車に対して相対運動し得る。相対運動の発生は、それが羽根車を回転、発電させ、発電機を駆動、発電させる相対運動であるために、重要である。
【００５１】
本発明の有益な効果は、以下の通りである：本発明の海波発電デバイスは、海洋エネルギーを創造的に十分活用し、海波の横方向運動エネルギーと位置エネルギーを創造的に十分活用し、また海洋の起伏する垂直方向運動エネルギーと位置エネルギーを創造的に十分活用し、それによって海波の発電効率を上げると共に海波エネルギーの活用効率を高める。
【００５２】
これは別として、本発明は、特に且つ創造的に波の回折原理を使用し、自然の海岸線に沿って横方向に列をなして打ち寄せる海波からの海波エネルギーを縦方向に収集する。このように、アンカーやパイルの使用量を大幅に減らすことができ、コストを顕著に削減することができる。
【００５３】
具体的には、海岸線に沿って横方向に列をなして打ち寄せる海波に対して、発電するための海波エネルギーの大規模収集が望まれる場合、海波発電デバイスは、海岸線に沿って横方向に配置され得るが、これは、少なくとも一つのアンカーやパイルを各海波発電デバイスに設けて海波発電デバイスを固定する必要があり、次に、大量のアンカーやパイルを海岸線に沿って横方向へ配置して（大規模発電を実現するために、大量の海波発電デバイスが配置されなければならない）前記海波発電デバイスを固定する必要がある。しかしながら、大量のアンカーやパイルの配置は、必然的にコストの増加及び実施の困難を伴う。更に、大量のアンカーやパイルの配置は、海岸線海エコロジーに対して不都合である又は海岸線海エコロジーを破壊する可能性もある。
【００５４】
回折は、障害物や小さな穴に遭遇した際、散乱を介して伝搬し続ける波の現象を指す「ディフラクション」とも呼ばれる。回折現象は、波に独特の現象である。全ての波は、回折現象を有する。
【００５５】
本発明の海波発電システムにおいて、複数の海波発電デバイスが海表面に浮いており、前後に直列に、縦方向のグループに接続され、互いに離間している。この創造的な特殊構造は、海波エネルギーを収集する前の海波発電デバイスを海波が通過した後、次の海波発電デバイスによる連続的収集のために海波が波形とエネルギーを回復するために、回折現象を十分に活用する。このように、本発明の技術的解決策は、独自の技術を創造的に用いて発電のための海波発電デバイスによる海岸線に沿って列をなして横方向へ打ち寄せる海波のエネルギーの縦方向への収集を実現し、それによって、発電システムにおいて必要とされるアンカーやパイルのような取付手段の量を最大限減少し、実施におけるコストと困難性を大きく減少する。
【００５６】
本発明は、独自に回折原理を海波発電に使用して有益な効果を得る。
【００５７】
更に、直列に接続された海波発電デバイスは、海表面に浮き、沖合の海エコロジーと環境を最大限破壊から保護することができる。加えて、大波等の特殊な天気が近づくと、発電システムに対する悪天候の影響や破壊を回避するために天気予報に従って付随する船で事前に海波発電デバイスを回収することができる。
【００５８】
更に、本発明の発電デバイスや全発電システムは、海表面での浮遊に適用可能であるのみならず、実施においてデバイスとシステムが海洋表面の下に浮遊することができる場合にも適用可能である。更に、デバイスとシステムは、海波や海波エネルギーの利用に限定されず、本発明によって提供される技術的解決策は、川、湖及び海域のような水の流れや波がある水域や海流や波がある水域において使用することができる。
【図面の簡単な説明】
【００５９】
【図１】本発明に従う海波の横方向運動エネルギーと位置エネルギーを活用する海波発電デバイスの実施の構造の正面図である。
【図２】本発明に従う海波の横方向運動エネルギーと位置エネルギーを活用する海波発電デバイスの他の実施の構造の正面図である。
【図３】本発明に従う海波の垂直方向運動エネルギーと位置エネルギーを活用する一つのブイを有する海波発電デバイスの実施の構造の正面図である。
【図４】本発明に従う海波の垂直方向運動エネルギーと位置エネルギーを活用する二つのブイを有する海波発電デバイスの実施の構造の正面図である。
【図５】エアリー（Ａｉｒｙ）理論原理の模式図である。
【図６】水が海表面に対して垂直な垂直断面Ａ−Ｂを通過して流れる時の模式図である。
【図７】本発明における発電コンポーネントの一実施形態の構造の模式図である。
【図８】本発明における発電機の一実施形態の構造の模式図である。
【図９】本発明に従う海波発電デバイスにおけるフレア状開口部と羽根車の第１の構造の模式図である。
【図１０】本発明に従う海波発電デバイスにおけるフレア状開口部と羽根車の第２の構造の模式図である。
【図１１】本発明に従う海波発電デバイスにおけるフレア状開口部と羽根車の第３の構造の模式図である。
【図１２】本発明に従う海波発電デバイスにおけるフレア状開口部と羽根車の第４の構造の模式図である。
【図１３】図１０に示されるフレア状開口部形状の側面図である。
【図１４】本発明における第１のブイの一実施形態の水平方向断面の上面模式図である。
【図１５】本発明における第１のブイの他の実施形態の水平方向断面の上面模式図である。
【図１６】本発明に従う海波発電システムの構成の模式図である。
【図１７】本発明における取付手段の一実施形態の構造の模式図である。
【発明を実施するための形態】
【００６０】
本発明の原理と特徴は、図面を参照して以下に詳細に説明する。実施の形態は、本発明の範囲を制限するためではなく、本発明を説明するためだけに記載する。
【００６１】
本発明の技術的解決策の態様は、海波発電デバイスを提供し、その具体的実施は、以下の通りである。
【００６２】
図１と図２を参照すると、本発明の海波発電デバイスは、第１のブイ１０５、第１のフレア状開口部１０２／１０２’、第２のフレア状開口部１０３／１０３’及び発電コンポーネント１０１を備える。第１のフレア状開口部１０２／１０２’と第２のフレア状開口部１０３／１０３’は、夫々、発電コンポーネント１０１の両側に配置されており、前記発電コンポーネント１０１と共に第１のブイ１０５に固定されている。海波の海水が一方のフレア状開口部を介して発電コンポーネント１０１へ通過し、その発電コンポーネント１０１を介して他方のフレア状開口部へ流れる。図１に示される発電機において、海波が第２のフレア状開口部１０３を介して発電コンポーネント１０１へ通過し、次に、第１のフレア状開口部１０２を介して流出する。図２に示される発電機では、海波が第１のフレア状開口部１０２’を介して発電コンポーネント１０１へ通過し、次に、第２のフレア状開口部１０３’を介して流出する。発電コンポーネントは、水タービンとそれにリンクされた発電機を備える。本発明の海波発電デバイスは、海波の運動エネルギーと位置エネルギーを十分に活用し、発電コンポーネントを流れる海水を上手く利用して水タービンの羽根車を回転させ、それによって、発電機を駆動、発電させ、且つ海波エネルギーを電気エネルギーへ変換して出力する。
【００６３】
本発明の海波発電デバイスの第１の用途は、主に海波の横方向運動エネルギーと位置エネルギーを利用することである。図１と図２に示されているように、海波発電デバイスが使用中に海表面に浮くことができるよう、第１のブイ１０５が配置される。この第１のブイ１０５は、前記第１のフレア状開口部１０２／１０２’と前記第２のフレア状開口部１０３／１０３’との間において、前記第１のフレア状開口部１０２／１０２’の外側開口と前記第２のフレア状開口部１０３／１０３’の外側開口の上縁部の近くに位置される。前記第１のフレア状開口部１０２／１０２’、前記第２のフレア状開口部１０３／１０３’及び前記発電コンポーネント１０１は、前記第１のブイ１０５の下方に位置され、前記海波発電デバイスの重心は、前記第１のブイ１０５の下方に位置され、それによって、前記海波発電デバイスが海に浮き、前記第１のフレア状開口部１０２／１０２’の内側開口と前記第２のフレア状開口部１０３／１０３’の内側開口は、海水中に沈む。海波中の海水が一方のフレア状開口部を介して発電コンポーネント１０１へ流れ、次に、発電コンポーネント１０１を介して他方のフレア状開口部へ流れる。図２に示されるように、それは、海波の来る方向に向く第１のフレア状開口部１０２’と離れていく海波の方向へ向く第２のフレア状開口部１０３’であり得る。発電機の具体的用途では、第１のブイによって発生される浮力は、第１のブイが海表面に浮くと共に発電機のフレア状開口部の内側開口を水中に沈めるように調節され得、それによって、発電機は、主に海表面に近い海波の運動エネルギーと位置エネルギーを利用して発電可能であると共に、第１のブイによって発生される浮力を調整することで、発電機全体を海水の特定の深さに浮遊させることができるため、発電機が主に海流における水の流れの運動エネルギーを使用して発電することができる。
【００６４】
本発明に従う海波発電デバイスの第２の用途は、主に海波の垂直方向運動と位置のエネルギーを使用することであり、以下の二つの実施形態を含むことができる。
【００６５】
第１の実施形態では、海波発電デバイスは、第１のブイを一つのみ備える。図３に示されるように、前記第１のブイ１０５は、前記第１のフレア状開口部１０２と前記第２のフレア状開口部１０３との間に位置し、第１のフレア状開口部１０２と第２のフレア状開口部１０３の周りに環状に分布されることで、前記海波発電デバイスを海洋中に浮かせており、第１のフレア状開口部１０２が海底に向き、第２のフレア状開口部１０３が空に向き、海波中の海水が一方のフレア状開口部を介して発電コンポーネントへ流れ、更に、発電コンポーネントを介して他方のフレア状開口部へ流れる。前記第１のブイは、第１のフレア状開口部１０２と第２のフレア状開口部１０３との間においてリング形状で周設され、これにより、海波発電デバイスは、第１のブイによって提供される浮力によって、海表面に浮き、又は海中に浮遊する。このように、海波発電デバイスが９０°だけ回転された後、使用のために海水中に配置されると、海波発電デバイスが海波の垂直方向の運動エネルギーと位置エネルギーを利用して海波エネルギーを電気エネルギーに変換して出力できる。
【００６６】
第２の実施では、海波発電デバイスは、更に、第２のブイ１０６を備える。図４に示されているように、第２のブイ１０６は、第１のブイ１０５と対向するように配置され、前記第１のフレア状開口部１０２、前記第２のフレア状開口部１０３及び前記発電コンポーネント１０１は、前記第１のブイ１０５と前記第２のブイ１０６との間に位置し、前記海波発電デバイスを海中に浮かせており、第１のフレア状開口部１０２が海底に向き、第２のフレア状開口部１０３が空に向き、海波中の海水が一方のフレア状開口部を介して発電コンポーネントへ流れ、更に、発電コンポーネントを介して他方のフレア状開口部へ流れる。互いに対向するに配置された二つのブイ１０５と１０６は、海波発電デバイス自体のバランスを保証し、発電機を通常の動作状態に保持する。
【００６７】
風と他の要因の包括的影響に起因して、自然の実際の海波中の水の質点は、上下に起伏する垂直エネルギーを含むのみならず、横方向運動エネルギーと位置エネルギーを含む。加えて、海波中の水の質点は、自然の実際の沖合の波がしばしば他の要因の包括的影響下で風のエネルギーを吸収するので、通常、水の質点の上下に起伏する垂直方向エネルギーよりも大きな横方向運動エネルギーと位置エネルギーを有する。
【００６８】
エアリー（Ａｉｒｙ）理論は、沖合の海波における水の質点の運動特性を良好に記述している。図５は、横方向海波エネルギーを利用する本発明の海波発電デバイスの原理の図である。図中、ｆは、海波の伝搬方向であり、沖合の海水の水の質点の運動軌跡は、楕円形状の軌跡を描き、ｃは、水の質点が右に向かう横方向運動エネルギーを有することを指し、ｄは、水の質点が垂直方向下方への運動エネルギーを有することを指し、ａは、水の質点が左に向かう横方向運動エネルギーを有することを指し、ｂは、水の質点が垂直方向上方への運動エネルギーを有することを指す。本発明の海波発電デバイスは、海波の横方向運動エネルギーと垂直方向運動エネルギーを十分に活用することができ、可能な限り電気エネルギーへ変換して出力する。
【００６９】
本発明の波発電機における発電コンポーネントは、複数の実施を有することができる。
【００７０】
例えば、発電コンポーネントの一実施形態においては、図７に示されるように、発電コンポーネント１１は、パイプ１５、羽根車１２、羽根車固定手段１６、伝達手段１３及び発電機１４を備えている。パイプ１５は、チャンバ１７を備え、発電機１４は、チャンバ１７内に位置される。チャンバ１７の主機能は、海水や湿った空気との接触及び腐食から発電機を保護することである。密封式腐食防止ハウジングが発電機１４自体の外側に設けられて海水や湿った空気との接触及び腐食から発電機を保護する。しかしながら、チャンバ１７は、発電機１４の二重保護を実現できる。
【００７１】
図７に示されるように、羽根車１２は、前記羽根車固定手段１６によって前記パイプ１５内に位置され、海水が前記パイプ１５内に流れて羽根車１２を回転させ、前記伝達手段１３は、羽根車１２の回転シャフトへ接続され羽根車１２の回転運動を発電機に伝えて発電機を動作、発電させる。前記羽根車１２は、ウエルズ羽根車を採用でき、それによって、羽根車１２は、水流が羽根車１２を通っていずれのフレア状開口部から流れるかに関係なく、即ち、水の流れが第１のフレア状開口部を介して又は第２のフレア状開口部を介して羽根車１２へ流れるかに関係なく、同じ方向へ回転して発電機１４を駆動して発電する。
【００７２】
発電コンポーネントの他の特定の実施は、図８に示されている通りであり、以下の特徴を有する。
【００７３】
１）羽根車固定手段と伝達手段は、図８に参照符号２０によって示されるように一体設計のものである。
【００７４】
２）前記伝達手段は、前記羽根車１２の円周方向ディスクに接続されて、前記羽根車１２の回転運動を前記発電機に伝えて発電機を動作し発電させる。
【００７５】
３）発電機１８は、少なくとも一セットの回転子アセンブリ４２と少なくとも一セットの磁極アセンブリ４１を備える。前記回転子アセンブリ４２と前記磁極アセンブリ４１は、共通軸の回りに相対運動し、そのセットの回転子アセンブル４２とそのセットの磁極アセンブリ４１は、電磁ユニットを形成する。前記電磁ユニット１５は、周方向にパイプ１５の回りにリング形状に分布され、前記パイプ１５の軸を共通軸として使用する。前記回転子アセンブリ４２が固定子である場合、前記磁極アセンブリ４１が回転子であり、又は前記回転子アセンブリ４２が回転子である場合、前記磁極アセンブリ４１が固定子である。それらの内の両方のみが互いに相対移動可能な場合、磁力線を切断することによって、磁気から電気への変換が、磁束の変化を介して実現され得、それによって、電力出力を発生する。
【００７６】
４）パイプ１５は、発電機１８の形状に適合するチャンバ１９を有する。また、チャンバ１９は、パイプ１５の周方向へパイプ壁の外側でリング形状構造に分布され、パイプ１５の軸を共通軸として使用する。このように、前記チャンバ１９は、海水や湿った空気との接触と腐食から発電機１８を更に保護するようにパイプ１５の周方向にパイプ１５の外側で前記発電機１８を包む。
【００７７】
図７と図８に示される発電コンポーネントは、二つの具体的な実施形態に過ぎない。これらとは別に、複数の実施形態があるが、その説明を省略する。
【００７８】
加えて、羽根車も、パイプの外側に配置されてよいが、フレア状開口部の範囲内である。また、これも、具体的な一実施形態に過ぎない。更に、前述の二つの解決策を組み合わせた解決策、即ち、一つの羽根車や幾つかの羽根車をパイプ内に配置すると共に一つの羽根車や幾つかの羽根車を対応する伝達手段が整合するフレア状開口部内に配置する方法が採用されてもよい。ここでは更なる詳細な説明をしない。
【００７９】
羽根車の実施形態は、複数の形態を取ることができる。羽根車をパイプに固定すること、羽根車を発電機にリンクすることは、従来の既存の技術に従って複数の方法で実施され得る。例えば、羽根車は、エンティティ回転シャフトを有し、それに接続される伝達手段を介して発電機を駆動し発電する。固定手段は、パイプ内又はフレア状開口部内に羽根車を固定するようにベアリングによってエンティティ回転シャフトを固定でき、又は羽根車は、エンティティ回転シャフトを持たず、代わりに、周方向に沿って羽根車のディスクを介して伝達手段に接続され、発電機内の回転子を直接駆動して回転させ、それによって、発電機に発電させる。エンティティ回転シャフトを有さない羽根車は、パイプ内に羽根車を固定する、例えば、ディスクを羽根車の最外周に沿って配置し、且つディスクとパイプの内壁との間にボールベアリングの固定手段を配置する方法を使用して羽根車をパイプ内に固定するようにディスクを介して固定手段へ固定され得、一方、羽根車とディスクは、パイプ壁の周方向に沿って自由に回転可能である。
【００８０】
発電コンポーネントの内側の発電機は、複数の方法で実施でき、それについては、ここでは、記述しない。
【００８１】
加えて、本発明の発電機が海水に浸かった発電機の通常な状態において正常に且つ絶え間なく動作可能とするため及び湿った空気の腐食を回避するために、密封式中空チャンバを発電機の安全保護として使用することとは別に、耐腐食性絶縁層と密封層は回転子アセンブリ及び／又は磁極アセンブリの外側に保護のために設けられて、電磁ユニットの海水と湿った空気による腐食を防止できる。また、前記密封式中空チャンバは、中空チャンバを開き、次にチャンバを閉鎖して密封することができる開閉手段を備得、発電機がチャンバ内に設置する、それから取り外すことができる。この構造は、修理及び交換を容易にする。
【００８２】
海波は、深海から浅海への方向へ伝搬する。海波クレストが打ち寄せると、発電機は、第１のブイ１０５の作動下で浮き上がり、フレア状開口部の位置を上昇させる。図５に示されるエアリー（Ａｉｒｙ）理論との組み合わせで、水の流れる方向が図１のｆによって示される通りであるならば、海波の谷が到着すると、発電機は、それと共に下降し、次に水の流れる方向が図２にｇによって示されるように、反対になることが分かる。このように、図８に示されるように、本発明における発電コンポーネント１０１の羽根車１２がウエルズ（Ｗｅｌｌｓ）羽根車を採用することができ、それによって、水の流れは、水の流れがどの方向へ発電コンポーネントを通って流れるかに関係なく、羽根車１２を同じ方向へ回転させ、伝達手段１３を介して発電機を駆動して働かせて発電させる。
【００８３】
図５は、海波中の水の質点の移動パターンの図である。図６は、海波が打ち寄せる時、海表面に対して垂直な固定垂直横断面Ａ−Ｂ（この横断面は、本発明において単純化されたパイプや羽根車と見なすことができる）を通過する単一の水の質点の移動状態の模式図である。これらの図から、海波が左から右へ（これらの図ではｆによって示される）打ち寄せると、垂直横断面Ａ−Ｂを横切る水の質点の移動軌跡が以下のように説明される（以下の説明は、図５と図６を一緒に参照することによって理解されるべきである）。
【００８４】
１．時点ａ’から時点ｂ’までの区間は、谷からクレストの半分までを表し、即ち、１／４周期を表す。この時、水の質点は、右から左へ移動し、水の流れは、Ａ−Ｂ断面を介して右から左へ流れ、それによって、羽根車１２が右から左へ動く。
【００８５】
２．時点ｂ’から時点ｃ’までと次に時点ｄ’までの区間は、クレストの半分からクレストの頂点と、クレストの頂点から次の谷の半分までを表し、即ち、１／２周期を表す。この時、水の質点は、左から右へ移動し、水の流れは、Ａ−Ｂ横断面を通って左から右へ流れ、それによって、羽根車１２が左から右へ動く。
【００８６】
３．時点ｄ’から時点ａ’’までの区間は、谷の半分から谷の底までを表し、即ち、１／４周期を表す。この時、水の質点は、右から左へ移動し、水の流れは、Ａ−Ｂ横断面を通って右から左へ流れ、それによって、羽根車１２は右から左へ動く。この時までに海水移動の一周期が完了する。このプロセスは、それ自体を無限サイクルで繰り返し、海波が次々に打ち寄せ、羽根車１２を繰り返して働かせて電力出力を発生する。
【００８７】
当然のことながら、上述したことは、エアリー（Ａｉｒｙ）理論を用いて、パイプ内の海水の流れの方向の単純化された概略説明と図示に過ぎない。水の流れは、実際の用途ではより複雑であり得る。
【００８８】
更に、パイプ内に打ち寄せる水の流れをより良好にして羽根車を回転させて最終的に発電機を働かせより効率的に発電させるために、前記第１のフレア状開口部１０２の内側開口が、円形状であり及び／又は前記第２のフレア状開口部１０３の内側開口が円形状である。
【００８９】
更に、前記第１のフレア状開口部１０２の内側開口と前記第２のフレア状開口部１０３の内側開口との間の距離は、前記内側開口の口径（内側開口が円形状の場合、内側開口の口径は、円の直径である）よりも短い、即ち、パイプ１５の軸方向幅は、パイプ１５の半径方向直径よりも短い。羽根車１２がパイプ内に設置できれば、パイプ１５の軸方向幅が短い程良い。これは、海波自体の運動エネルギーのエネルギー減衰がパイプの幅を可能な限り減少することにより移動プロセス中のパイプ内で可能な限り減少され、それによって、海波の運動エネルギーが羽根車１２に直接作用し得るからである。このように、海波の運動エネルギーが同じ入力の場合、運動エネルギーの収集量が向上し、電気エネルギーの変換と出力量を向上することができる。
【００９０】
異なる実施域の海波の特性に関して最適な波蓄積効果を達成するために、図１、２、３及び４に示されるように、第１のフレア状開口部の口径が外側開口（即ち、発電コンポーネントから離れたフレア状開口部の開口）から内側開口（即ち、発電コンポーネントに近いフレア状開口部の開口）へ規則的に且つ徐々に減少する又は不規則に且つ徐々に減少し、及び／又は第２のフレア状開口部の口径が外側開口から内側開口へ規則的に且つ徐々に減少する又は不規則に且つ徐々に減少する。即ち、フレア状開口部は、規則的なベルマウス形状のもの又は寸法が不規則に外側から内側へ減少する不規則な湾曲表面によって形成される形状のものであり得、それによって、異なる海域の海波特性に関して最適波蓄積効果を実現し、海波エネルギーの活用比率を向上し、発電量を増加する。
【００９１】
本発明の海波発電デバイスは、海波の横方向運動エネルギーと位置エネルギーを使用して発電する際、最適な波蓄積効果を達成しパイプに打ち寄せる海水の量を（最も高い運動エネルギーを持つ）最大にするため、フレア状開口部の形態は、実施する海域の海波特性に従って以下の４つの態様に調節され得る。
【００９２】
１．前記第１のフレア状開口部の外側開口の上縁の水平高さは、前記第１のフレア状開口部の内側開口の上縁の水平高さよりも低く、及び／又は、前記第２のフレア状開口部の外側開口の上縁の水平高さは、前記第２のフレア状開口部の内側開口の上縁の水平高さよりも低く、又は、
前記第１のフレア状開口部の外側開口の上縁の水平高さは、前記第１のフレア状開口部の内側開口の上縁の水平高さよりも高く、及び／又は、前記第２のフレア状開口部の外側開口の上縁の水平高さは、前記第２のフレア状開口部の内側開口の上縁の水平高さよりも高く、又は、
前記第１のフレア状開口部の外側開口の下縁の水平高さは、前記第１のフレア状開口部の内側開口の下縁の水平高さよりも低く、及び／又は、前記第２のフレア状開口部の外側開口の下縁の水平高さは、前記第２のフレア状開口部の内側開口の下縁の水平高さよりも低く、又は、
前記第１のフレア状開口部の外側開口の下縁の水平高さは、前記第１のフレア状開口部の内側開口の下縁の水平高さよりも高く、及び／又は、前記第２のフレア状開口部の外側開口の下縁の水平高さは、前記第２のフレア状開口部の内側開口の下縁の水平高さよりも高い。
【００９３】
２．前記第１のフレア状開口部の外側開口の上縁から前記第１のフレア状開口部の内側開口の上縁までの垂直の縦方向断面（即ち、垂直方向における第１のフレア状開口部の上部フレア状開口壁の断面）は、任意の湾曲形状や直線形状であり、任意の角度を有する放物線形状を備え、及び／又は、前記第２のフレア状開口部の外側開口の上縁から前記第２のフレア状開口部の内側開口の上縁までの垂直の縦方向断面（即ち、垂直方向における第２のフレア状開口部の上部フレア状開口壁の断面）は、任意の湾曲形状や直線形状であり、任意の角度を有する放物線形状を備え、又は、
前記第１のフレア状開口部の外側開口の下縁から前記第１のフレア状開口部の内側開口の下縁までの垂直の縦方向断面（即ち、垂直方向における第１のフレア状開口部の下部フレア状開口壁の断面）は、任意の湾曲形状や直線形状であり、任意の角度を有する放物線形状を備え、及び／又は、前記第２のフレア状開口部の外側開口の下縁から前記第２のフレア状開口部の内側開口の下縁までの垂直の縦方向断面（即ち、垂直方向における第２のフレア状開口部の上部フレア状開口壁の断面）は、任意の湾曲形状や直線形状であり、任意の角度を有する放物線形状を備え、又は、
前記第１のフレア状開口部の外側開口の側縁から前記第１のフレア状開口部の内側開口の側縁までの垂直の縦方向断面（即ち、垂直方向における第１のフレア状開口部の側部フレア状開口壁の断面）は、任意の湾曲形状や直線形状であり、任意の角度を有する放物線形状を備え、及び／又は、前記第２のフレア状開口部の外側開口の側縁から前記第２のフレア状開口部の内側開口の側縁までの垂直の縦方向断面（即ち、垂直方向における第２のフレア状開口部の側部フレア状開口壁の断面）は、任意の湾曲形状や直線形状であり、任意の角度を有する放物線形状を備える。
【００９４】
３．図１３を参照して、前記第１のフレア状開口部の外側開口の下縁から前記第１のフレア状開口部の内側開口の下縁までの距離ｄ３は、前記第１のフレア状開口部の外側開口の上縁から前記第１のフレア状開口部の内側開口の上縁までの距離ｄ１よりも短く、及び／又は、前記第１のフレア状開口部の外側開口の下縁から前記第１のフレア状開口部の内側開口の下縁までの距離ｄ３は、前記第１のフレア状開口部の外側開口の側縁から前記第１のフレア状開口部の内側開口の側縁までの距離ｄ２よりも短く、及び／又は、前記第１のフレア状開口部の外側開口の上縁から前記第１のフレア状開口部の内側開口の上縁までの距離ｄ１は、前記第１のフレア状開口部の外側開口の側縁から前記第１のフレア状開口部の内側開口の側縁までの距離ｄ２よりも短く、及び／又は、
前記第２のフレア状開口部の外側開口の下縁から前記第２のフレア状開口部の内側開口の下縁までの距離は、前記第２のフレア状開口部の外側開口の上縁から前記第２のフレア状開口部の内側開口の上縁までの距離よりも短く、及び／又は、前記第２のフレア状開口部の外側開口の下縁から前記第２のフレア状開口部の内側開口の下縁までの距離は、前記第２のフレア状開口部の外側開口の側縁から前記第２のフレア状開口部の内側開口の側縁までの距離よりも短く、及び／又は、前記第２のフレア状開口部の外側開口の上縁から前記第２のフレア状開口部の内側開口の上縁までの距離は、前記第２のフレア状開口部の外側開口の側縁から前記第２のフレア状開口部の内側開口の側縁までの距離よりも短い。
【００９５】
フレア状開口部形態の側面図に対して、図９、図１０、図１１及び図１２を例として取り上げる。図１０に示される解決策は最適であり、図１３は、図１０の側面図である。このフレア状開口部形態は、他の三つの図面に示されるフレア状開口部よりも良好に海波エネルギーを使用することができ、発電機の電力の出力量が向上され得る。その主な理由は、以下の通りである。すなわち、一方で、フレア状開口部の内側開口の水平位置は、最大限、海波の頂点に近い。エアリー（Ａｉｒｙ）理論から、海波の頂点により近い水の質点はより大きな運動エネルギーを有することが分かる。このように、この解決策は、内側開口へ打ち寄せる海洋水により大きな運動エネルギーを持たせるため、他の三つの図に示されるフレア状開口部の形態の場合よりも良好である。他方で、フレア状開口部のこのタイプの外側開口の横方向幅は、その垂直方向高さよりも大きく、それによって、前述の第１の態様の利点を確保しながら、横方向海波の収集域が拡大され得る。これは、海波が打ち寄せる際の自然な形態に一致しており、最大可能量の海水がフレア状開口部に打ち寄せ、次に内側開口に打ち寄せて羽根車に発電させ、それによって、海波エネルギーの利用率が向上される。
【００９６】
海波発電デバイスが海波の横方向運動エネルギーと位置エネルギーを使用して発電する技術的解決策において、第１のブイは、複数のタイプの形態であり得るが、好適な形態は、海波の移動方向のブイのサイズが、９０°の海波の移動方向に対して垂直な方向における水平面よりも短いことである。このような形態は、ブイの形状が海波のクレスト形態と一列になっており、クレスト形態と一致する利点があり、本発明の発電機が水平方向へ打ち寄せる列となった海波を受け取り、その運動エネルギーと位置エネルギーを収集するのに好都合である。また、海波のクレストが打ち寄せる前にブイが早い時点で浮き上がらないようにし、それが、海波のフレア状開口部とパイプとの相対運動を減少して、海水の運動エネルギーを減少、羽根車駆動して発電させることができる。
【００９７】
上述した目的を達成するためには、図１４に示されるように、第１のブイ１０５の水平方向横断面は、ダンベルタイプのものであり、Ｅ２Ｆ２Ｆ１Ｅ１が第１のフレア状開口部１０２のフレア状開口壁の横断面である。
【００９８】
第１の位置における前記第１のブイ１０５の幅ｄ６は、第２の位置における前記第１のブイの幅ｄ７よりも短い。第１の位置における幅ｄ６は、前記第１のフレア状開口部１０２の内側開口と前記第２のフレア状開口部１０３の内側開口の軸における海表面に対して垂直な前記第１のブイ１０５の横断面の幅であり、及び第２の位置における幅ｄ７は、海波の移動方向における前記第１のフレア状開口部１０２と前記第２のフレア状開口部１０３との間で前記二つのフレア状開口部の内側開口の軸の中間点におけるフレア状開口部の内側開口の軸に対して垂直な前記第１のブイ１０５の横断面の幅である。
【００９９】
また、第１の位置における前記第１のブイの幅ｄ６は、第３の位置における前記第１のブイの幅ｄ８よりも短い。第３の位置における幅ｄ８は、海波の移動方向における第１のフレア状開口部１０２の外側開口の側縁に近く且つ海表面に対して垂直な前記第１のブイ１０５の横断面の幅であり、及び／又は、第１の位置における前記第１のブイの幅ｄ６は、第４の位置における前記第１のブイの幅ｄ９よりも短い。第４の位置における幅ｄ９は、海波の移動方向における前記第２のフレア状開口部１０３の外側開口の側縁に近く海表面に対して垂直な前記第１のブイ１０５の横断面の幅である。
【０１００】
更に、波蓄積能力を更に得るために、本発明の発電機のブイは、以下のように設計され得る。第１のブイ１０５は、前記第１のフレア状開口部のフレア状開口壁の外側に沿って延出して第１のブイフレア状開口部の壁突起を形成し、前記第１のブイフレア状開口部の壁突起は、前記第１のフレア状開口部の外側開口から突出し、及び／又は、前記第１のブイは、前記第２のフレア状開口部のフレア状開口壁の外側に沿って延出して第１のブイフレア状開口部の壁突起を形成し、そこでは、前記第１のブイフレア状開口部の壁突起は、前記第２のフレア状開口部の外側開口から突出する。図１５に示されているように、Ｄ１Ｍ１Ｐ１Ｅ１とＤ２Ｍ２Ｐ２Ｅ２は、前記第１のフレア状開口部の外側開口から突出する前記ブイフレア状開口部の壁突起の横断面図である。第１のブイフレア状開口部の壁突起を配置することによって、一方では、波蓄積を最大にする目的を達成するように海波が発電機に入る際に通るフレア状開口部を拡大することに等しく、他方では、海波が打ち寄せる時に、そのクレストが、最初に、第１のブイフレア状開口部の壁突起に作用し、フレア状開口部を押して上方へ傾かせ、この形態が、フレア状開口部が海波を運び海波に羽根車をより良好に発電させて発電効率を向上するようにフレア状開口部の内側開口のパイプ内へ蓄積された海波を取り込むのにより好都合である。加えて、ブイの突起部分は、フレア状開口部を他の物体による衝突と破壊から保護する保護機能を有する。
【０１０１】
更に、第１のブイフレア状開口部の壁突起部分は、図１５においてＭ２Ｐ２とＭ１Ｐ１によって示されるように、ある傾き角度を有することができる。これも、より良好に波を蓄積するために設けられる。
【０１０２】
本発明における第１のフレア状開口部１０２と第２のフレア状開口部１０３は、一方で、運動エネルギーと位置エネルギーを有する打ち寄せる海波を収集する面積と容量を増加し、且つ蓄積を介して海水の運動エネルギーを増加するように波を蓄積するように機能し、他方で、本発明におけるフレア状開口部と発電コンポーネントとの関係とその形状は、フレア状開口部にフレア状開口部の内側開口のパイプ内へ入る打ち寄せる海波を支援して、打ち寄せる海波がパイプと羽根車と相対運動する。それは、海水に羽根車１２を回転させ、最終的に発電機を駆動、動作させて発電する海波と、パイプと羽根車の相対運動である。
【０１０３】
海波発電デバイスが海波の垂直方向運動エネルギーと位置エネルギーを使用して発電する技術的解決策において、最適な波蓄積効果を達成し最高運動エネルギーを有するパイプへ打ち寄せる海波の量を最大にするために、実施において、発電機は、第１のブイのみを有し、そのブイの横方向幅の寸法が以下の特徴を有する。
【０１０４】
海波の移動方向における前記第１のフレア状開口部１０２の内側開口と前記第２のフレア状開口部１０３の内側開口の軸での海表面に対して垂直な第１のブイ１０５の横断面の幅は、前記第１のフレア状開口部１０２の内側開口と前記第２のフレア状開口部１０３の内側開口の軸での海波の移動方向に対して垂直な第１のブイ１０５の横断面の幅よりも短い。
【０１０５】
海波発電デバイスが二つのブイを備える実施において、海波の移動方向における前記第１のフレア状開口部１０２の内側開口と前記第２のフレア状開口部１０３の内側開口の軸での海表面に対して垂直な第１のブイ１０５の横断面の幅は、前記第１のフレア状開口部１０２の内側開口と前記第２のフレア状開口部１０３の内側開口の軸での海波の移動方向に対して垂直な第１のブイ１０５の横断面の幅よりも短く、及び／又は、海波の移動方向における前記第１のフレア状開口部１０２の内側開口と前記第２のフレア状開口部１０３の内側開口の軸での海表面に対して垂直な第２のブイ１０６の横断面の幅は、前記第１のフレア状開口部１０２の内側開口と前記第２のフレア状開口部１０３の内側開口の軸での海波の移動方向に対して垂直な第２のブイ１０６の横断面の幅よりも短い。
【０１０６】
海波発電デバイスが海波の垂直方向運動エネルギーと位置エネルギーを使用して発電する技術的解決策において、最良の波蓄積効果を実現するために、図３を参照すると、打ち寄せてくる海波に向く方向における前記第１のフレア状開口部１０２のフレア状開口壁の幅ｄ４は、離れていく海波に面する方向における前記第１のフレア状開口部１０２のフレア状開口壁の幅ｄ５よりも短く、及び／又は打ち寄せてくる海波に向く方向における前記第２のフレア状開口部１０３のフレア状開口壁の幅は、離れていく海波に向く方向における前記第２のフレア状開口部１０３のフレア状開口壁の幅よりも短い、
及び／又は、打ち寄せてくる海波に向く方向における前記第１のフレア状開口部１０２のフレア状開口壁の幅ｄ４は、海波の移動方向に対して垂直な方向における前記第１のフレア状開口部１０２のフレア状開口壁の幅よりも短く、又は、換言すれば、その幅ｄ４は、水平方向において海波の移動方向に対して垂直な方向におけるフレア状開口部１０２の幅よりも短い。三次元空間内であるために、それは、海波の移動方向に対して垂直な面であり、その平面上の任意の方向を指す直線は、海波の移動方向に対して垂直である。ここで議論するのは、この平面上の水平方向における場合である。及び／又は、打ち寄せてくる海波に向く方向における前記第２のフレア状開口部１０３のフレア状開口壁の幅ｄ４は、海波の移動方向に対して垂直である方向における前記第２のフレア状開口部１０３のフレア状開口壁の幅よりも短く、及び／又は海波の離れていく方向における前記第１のフレア状開口部１０２のフレア状開口壁の幅ｄ５は、海波の移動方向に対して垂直な方向における前記第１のフレア状開口部１０２のフレア状開口壁の幅よりも短く、及び／又は離れていく海波に向く方向における前記第２のフレア状開口部１０３のフレア状開口壁の幅ｄ５は、海波の移動方向に対して垂直な方向における前記第２のフレア状開口部１０３のフレア状開口壁の幅よりも短い。
【０１０７】
フレア状開口部の前述の技術的解決策において、前記第１と第２のフレア状開口部の各々は、ケルプ（昆布）、海藻等の海波と共に移動する物体が発電コンポーネント１０１内に入って羽根車１２の正常な動作に影響を及ぼさないよう、少なくとも一つの金属メッシュを備えることもできる。加えて、金属メッシュの配置は、海波発電デバイスの動作の影響から海の生き物を守ること及び羽根車による海の生き物の負傷を防止することに役立つ。
【０１０８】
加えて、海水中での本発明の海波発電デバイスの安定性を確保するために、図１６を参照すると、海波発電デバイスは、少なくとも一つの水中翼１０７を備え、前記水中翼１０７は、前記第１のフレア状開口部のフレア状開口壁の外側、及び／又は前記第２のフレア状開口部の外側、及び／又は前記発電コンポーネント１０１の外側、及び／又は前記第１のブイ１０５の外側に配置され、前記水中翼は、海水と接触している。このように、水中翼は、変位抵抗を発生することができる。水中翼によって、水中における及び打ち寄せる海波における発電機のバランスが向上し、旋回を防止する効果を達成すると共に海水中での発電機の安定性を向上することができる。海波発電デバイスが更に第２のブイ１０６を備えると、少なくとも一つの水中翼がその第２のブイ１０６の外側に配置される。それに加えて、水中翼１０７は、海波発電デバイスのバランスと安定性を維持する効果を向上するように三角翼や三叉形状の多水中翼であり得る。更に、水中翼を海波の方向に沿って後側のフレア状開口部の背後に配置することもでき、それによって、水中翼は、前側のフレア状開口部が常に海波の打ち寄せる方向を指すように風見のように尾翼の機能を果たすことができる。
【０１０９】
本発明の技術的解決策の他の態様は、海波発電システムを提供する。具体的実施は以下の通りである。
【０１１０】
海波発電システムは、少なくとも一つの本発明の海波発電デバイスと少なくとも一つの取付手段を備え、前記海波発電デバイスは、海波の移動方向に前後に一列に又は少なくとも二列に接続され、各列は、少なくとも一つの海波発電デバイスを備え、そして前記一列又は少なくとも二列の海波発電デバイスは、取付手段に接続される又は少なくとも二つの取付手段間に接続される。取付手段は、複数の形態を採用することができる。取付手段は、海底に固定され又は海波で移動しないか又は僅かに移動する他のオブジェクト（海に停泊している大きな船のような）へ固定され得る。このように、取付手段の機能によって、単一の海波発電デバイスや複数の海波発電デバイス並びに海波発電システムを形成するために直列に接続された又はネットワークにされた全セットの複数のデバイスは、海波に遭遇した後、海波と共に水平方向変位や横への変位をせず、海波と共に流れていかない。このように、打ち寄せる海波は、最大限フレア状開口部へ入ってパイプと羽根車と相対運動する。海水は、その相対運動を介して羽根車を回転させ発電機を駆動して発電する。これとは別に、取付手段は、更に、海波発電デバイスのバランスと海波発電デバイスの位置の安定性を維持する。海波発電デバイスによって発生される電力は、整流器によって整流され、次に電気ケーブルを介して陸地へ送信されて電力グリッドへ入力される、又は電力は、最初に電気ケーブルを介して陸地へ送信されて、次に、整流され電力グリッドへ入力される。
【０１１１】
海波発電システムが、少なくとも二つの海波発電デバイスを備えている場合、その少なくとも二つの海波発電デバイスは、直列に連続的に頭と尾とが接続され、次に一つの取付手段に接続される又は二つの取付手段の間に接続され、及び／又はその少なくとも二つの海波発電デバイスは、並列に接続され、次に一つの取付手段に接続される又は二つの取付手段の間に接続され、及び／又は複数の海波発電デバイスは、最初に並列に接続され、次に直列に前後に接続されて複数列を形成する。前述の方法は、並べ替え及び組み合わせの後に以下の４つの接続方法を有することができる。
【０１１２】
１．複数の海波発電デバイスは、直列に連続して頭と尾とがチェーン、ケーブル又は剛性ロッドを介して一つの取付手段に又は二つの取付手段の間に接続される。
【０１１３】
２．複数の海波発電デバイスは、並列に一つの取付手段へ又は二つの取付手段の間に接続される。この場合、その複数の海波発電デバイスは、並列に互いに近接して接続されることができ、第１のブイ１０５を共有し、その第１のブイ１０５の浮力下で海中に共に浮く。
【０１１４】
３．複数の海波発電デバイスは、直列に連続的に頭と尾とが接続され、次に一つの取付手段が複数の繋がった海波発電デバイスの各々に接続される。この場合、複数の取付手段は、海波の移動方向に沿って離間して配置され、直列に接続された海波発電デバイスが各二つの取付手段の間に配置される。
【０１１５】
４．複数の海波発電デバイスは、最初に、並列に近接して接続されて並列接続ユニットを形成し、次に複数の並列接続ユニットが直列に連続して一つの取付手段に又は二つの取付手段の間に接続され、又は複数の並列接続ユニットが直列に連続して海波の移動方向に沿って離間して配置される複数の取付手段の間に接続される。
【０１１６】
本発明の取付手段は、複数の形態を採用することができる。取付手段は、海底に固定され得る、又は海に停泊している大きな船のような、海波で移動しない又は僅かに移動する他のオブジェクトへ取付けられ得る。二つの好適な実施があり、第１の実施は以下の通りである。取付手段２００は、海水中に固定される少なくとも一つのパイル２０１と前記パイル２０１上に摺動可能に外嵌するプーリースリーブ２０６とを備える。図１６に示されるように、少なくとも一列の海波発電デバイス１００又は少なくとも一つの前記海波発電デバイス１００は、前記プーリースリーブ２０６へチェーン、ケーブル又は剛性ロッドを介して接続され、パイル２０１へ固定され、又は図１７に示されるように、前記少なくとも一列の海波発電デバイス又は少なくとも一つの海波発電デバイスは、少なくとも二つのプーリースリーブ２０６間にチェーン、ケーブル又は剛性ロッドを介して接続される。各プーリースリーブ２０６は、対応する一つのパイル２０１上に摺動可能に外嵌する。このように、前記少なくとも一列の海波発電デバイス１００又は少なくとも一つの前記海波発電デバイス１００は、海表面に浮く又は海水中に浮遊することができる。
【０１１７】
更に、海波発電システムが少なくとも二列の海波発電デバイス又は少なくとも二つの海波発電デバイスを備える場合、前記少なくとも二列の海波発電デバイス又は少なくとも二つの海波発電デバイスは、連続的にチェーン、ケーブル又は剛性ロッドを介して接続され、ケーブルは、前記少なくとも二列の海波発電デバイス又は少なくとも二つの海波発電デバイスの間に接続される。前記少なくとも二列の海波発電デバイス又は少なくとも二つの海波発電デバイスは、パイル２０１へ固定される又はプーリースリーブ２０６を介して少なくとも二つのパイル２０１間に接続される。
【０１１８】
取付手段の第１の実施では、海波発電デバイスは、二つの前後パイル２０１とプーリースリーブ２０６を介して海表面に又は海中に浮き、その海波発電デバイスは、海波の移動と共に前後への変位をせず、それによって、比較的大きな相対運動が、海波発電デバイスのフレア状開口部内へ入る海洋水と、パイプと羽根車との間でおきる。これは、羽根車に発電させ発電機を駆動して発電するのに好都合であり、より良好な発電効果と効率が得られる。この方法は、単一の海洋発電デバイスによって構成されるシステムに対しても、複数の海波発電デバイスによって構成されるシステムに対しても同様に適用することができる。
【０１１９】
図１６と図１７を参照すると、プーリースリーブ２０６は、スリーブ２０２、第３のブイ２０３、少なくとも一列のホイール２０４、固定ホイール手段２０５を備える。スリーブ２０２は、パイル２０１上を滑り、前記少なくとも一列のホイール２０４は、スリーブ２０２とアイル２０１との間に位置され、固定ホイール手段２０５を介してスリーブ２０２内に固定される。第３のブイ２０３は、スリーブ２０２へ接続され、前記少なくとも一列のホイール２０４は、プーリースリーブ２０６が海表面に浮く又は海水中に浮遊し、パイル２０１に沿って上下に浮動することができるように、第３のブイ２０６と協働する。ホイール２０４は、パイル２０１に沿うプーリースリーブ２０６の上下運動を確保するために使用され、摩擦を減少し、第３のブイ２０３は、浮力を提供してプーリースリーブ２０６を海表面に浮かせるために使用され、この二つは、プーリースリーブ２０６が常に海表面上にあるよう連携して働く。実際の実施では、スリーブはホイールを有さなくてもよく、又は海表面に浮くことができるが、ホイールを有する手段が明らかに好適である。
【０１２０】
海表面に浮くことが主な実施形態であるが、プーリースリーブと全セットの発電デバイスは、海水中に浮遊する実施を採用できる。プーリースリーブ２０６を配置することによって、海波発電デバイスとスリーブ２０２は、波がない時に、同時に且つ同じ高さで海洋表面に浮くことができる。
【０１２１】
本発明における取付手段の第２の実施形態は以下の通りである。取付手段は、アンカーとケーブルを備え、複数の海波発電デバイスが連続的にチェーン、ケーブル又は剛性ロッドを介して接続され、前記複数の海波発電デバイスが海表面に浮くよう前記アンカーと前記ケーブルを介して取付けられる。電気ケーブルは、更に前記複数の海波発電デバイス間に接続される。この実施は、主に、複数の海波発電デバイスによって構成されるシステムに適用可能である。更に、複数の海波発電デバイスによって構成されるシステムの用途において、一番先の海波発電デバイスが固定されたオブジェクトへチェーン、ケーブル又は剛性ロッドを介して前で接続される又は比較的大きな浮動するオブジェクトへ接続され、次に、その浮動するオブジェクトを介してアンカーチェーンとアンカーを接続する解決策を採用することができ、比較的大きな浮動するオブジェクトは、船や何らかの浮動するオブジェクトであり得る。
【０１２２】
システムが複数の海波発電デバイスを備える場合、それらの海波発電デバイスを固定するためにアンカーとアンカーチェーンを使用すると、当然のことながら、この実施では、頭にある発電機と尾にある発電機の発電効率が減少される可能性があるが、続く複数の発電機の引きずり及び制動機能によって、この固定方法は、複数の発電機の正常な動作に影響を及ぼさない。この実施は、発電効率において第１の実施形態よりも理想的であるとは言えないが、アンカーを使用した固定は、フレキシブル且つ便利であり、パイル設置のコストを節約できる。このように、発電効率に関する要求が高くない時に、取付手段の第２の実施が同様に採用され得る。勿論、システムが複数の海波発電デバイスを備える場合、取付手段の第１の実施を使用した全体の発電効果がより良好である。
【０１２３】
本発明の技術的解決策の全体のシステムの実施と使用は以下のとおりである。
【０１２４】
複数の海波発電デバイスが直列に接続され、直列に接続される場合、側表面にフレア状開口部を有する発電機が、上又は下表面にフレア状開口部を有する発電機に前で又は後ろで接続され、そのような離間された配置は、また、側表面にフレア状開口部を有する複数の発電機を直列に接続し、次に上又は下表面にフレア状開口部を有する複数の発電機を接続し、次にこのようにこれらを直列に前後に接続することができる。或いは、上又は下表面にフレア状開口部を有する発電機は、最初に側表面にフレア状開口部を有する発電機に近接して並列に接続される又は更に同じブイを共有する二つの発電機と接続され、次に、このように並列に接続された二つの発電機を前から後ろへ接続し、次に、他の一列の二つの発電機を前から後ろへ接続し、同様に複数の列を前から後へ直列に接続する。これは、接続方法と実施スキームでもある。勿論、一連の発電機の全てが側表面にフレア状開口部を有する発電機であってもよい又は一連の発電機の全てが上又は下表面にフレア状開口部を有する発電機であってもよい。
【０１２５】
前述の組み合わせ方法のいずれが採用されようとも、一連の発電機の頭と尾は、夫々、プーリースリーブ２０６を介して二つのパイル２０１の間に固定され得、海波の衝撃に起因して各発電機が漂流すること、従って発電効率に影響を及ぼすことを防ぐ。直列に頭から尾にかけて連続して複数の発電機又は複数列の発電機を接続することにより、海波発電デバイスの各々を取り付けること及び各発電機が相互抑制力に起因して海波の動作下で海波による漂流を防止することができる。
【０１２６】
本発明に従う海波発電システムの全システムが両端でプーリースリーブ２０６とパイル２０１を使用する固定方法により実施される場合、海波や海流の流れる方向が比較的に固定されている海域において実行されるのが最良である。これらの海域は、海峡における又は固定された潮流を有する又は潮流の固定された大量流入と引き潮方向を有する沖合の海域を含み、頭のパイルと尾のパイルは、海波の移動方向に沿って配置される又はパイルを海波の移動方向に沿って各特定間隔（例えば、２００ｍ）で配置し複数の海波発電デバイスを直列にパイル間に接続する。全体のシステムが一端のみで、プーリースリーブ２０６とパイル２０１を使用する固定方法により実施される場合、海波又は海流が一定に変化する海域で実施されるのが最良である。
【０１２７】
更に、発電機又は全システムが水表面に浮くのに適するのみならず、発電機とそのシステムが同様に水表面下で浮遊しているものとして実施されるのにも適する。加えて、本発明の発電機とシステムは、海波や海波エネルギーの活用に制限されず、川、湖、及び海流や洋流を有する海域や水域のような水の流れや波を有するあらゆる水域に適することができる。
【０１２８】
実際に前述の海波発電デバイスを使用する技術的解決策において、フレア状開口部を有さず、従って、発電効果がフレア状開口部を有する用途形態の発電効果程よくはないが電力が発生され得る用途があると指摘しておく。更に、フレア状開口部の向く方向は、この明細書で述べた海波に向く方向と海波から去る方向である二つの大きな用途形態に制限されるのではなく、実施の用途においては任意の方向であり得る。加えて、二つ以上のパイプを含む解決策が採用されてもよい。複数の羽根車に対応して複数のパイプを夫々使用する又は一つの羽根車に対応して複数のパイプを使用する解決策が実施され得る。
【０１２９】
上記は、本発明の好適な実施形態に過ぎず、本発明の保護範囲を制限するために使用されることはない。当業者は、本発明の精神と原理内で行われる変更、等価な代替及び改良は、全て本発明の保護の範囲に含まれると承知している。